【事件の表示】
　特許第６７０３１７３号発明「ビールテイスト飲料、およびビールテイスト飲料の製造方法」の特許異議申立事件について、次のとおり決定する。
【結　論】
　特許第６７０３１７３号の請求項１ないし９に係る特許を維持する。
【理　由】
第１　手続の経緯
　特許第６７０３１７３号の請求項１ないし９に係る特許についての出願は、令和１年７月１２日に特許出願され、令和２年５月１１日に特許権の設定登録がされ、同年６月３日にその特許公報が発行され、その後、同年１２月３日に、特許異議申立人　中川　賢治（以下「特許異議申立人」という。）により、請求項１〜９に係る特許に対して、特許異議の申立てがされたものである。
第２　特許請求の範囲の記載
　本件の特許請求の範囲の請求項１〜９に係る発明（以下、それぞれ「本件特許発明１」〜「本件特許発明９」という。まとめて、「本件特許発明」ということもある。）は、それぞれ、その特許請求の範囲の請求項１〜９に記載された事項により特定される、以下のとおりのものである。
「【請求項１】
　イソα酸の含有量が０．１質量ｐｐｍ以下、全窒素量が４０〜２００ｍｇ／１００ｍＬ、総ポリフェノール量が３〜１８０質量ｐｐｍ、４−ビニルグアイアコールの含有量が２７０〜１８００μｇ／Ｌ、および、全窒素量（ｍｇ／１００ｍＬ）／総ポリフェノール量（質量ｐｐｍ）が０．３５〜３．０であるビールテイスト飲料。
【請求項２】
　窒素量が５７〜１７８ｍｇ／１００ｍＬであり、
　総ポリフェノール量が５２〜１６２質量ｐｐｍである、請求項１に記載のビールテイスト飲料。
【請求項３】
　原麦汁エキス（Ｏ−Ｅｘ）濃度が５〜１８質量％である、請求項１または２に記載のビールテイスト飲料。
【請求項４】
　窒素またはポリフェノールの少なくとも一部が麦芽由来である、請求項１〜３のいずれかに記載のビールテイスト飲料。
【請求項５】
　請求項１〜４のいずれかに記載のビールテイスト飲料を製造する方法であって、
　水および麦芽を含む原料に、酵母を添加して、アルコール発酵を行う工程を有する、ビールテイスト飲料の製造方法。
【請求項６】
　ホップを配合する工程を有しない、請求項５に記載のビールテイスト飲料の製造方法。
【請求項７】
　麦芽比率が４０質量％以上である、請求項５または６に記載のビールテイスト飲料の製造方法。
【請求項８】
　さらに、酵母が資化可能な原料からなる群から選ばれる１種以上を配合する工程を有する、請求項５〜７のいずれかに記載のビールテイスト飲料の製造方法。
【請求項９】
　さらに、穀物に由来するスピリッツを添加する工程を有する、請求項５〜８のいずれかに記載のビールテイスト飲料の製造方法。」
第３　特許異議申立理由
１　進歩性
異議申立理由１Ａ：請求項１〜９に係る発明は、本件特許出願前に日本国内又は外国において、頒布された下記の、刊行物に記載された又は電気通信回線を通じて公衆に利用可能となった甲第１号証に記載された発明および甲第２号証〜甲第７号証、甲第１３号証〜甲第１７号証に記載された又は電気通信回線を通じて公衆に利用可能となった技術的事項に基いて、本件特許出願前にその発明の属する技術の分野における通常の知識を有する者が容易に発明をすることができたものであるから、請求項１〜９に係る特許は、特許法第２９条第２項の規定に違反してされたものである。
異議申立理由１Ｂ：請求項１〜９に係る発明は、本件特許出願前に日本国内又は外国において、頒布された下記の、刊行物に記載された又は電気通信回線を通じて公衆に利用可能となった甲第７号証に記載された発明および甲第３号証〜甲第６号証、甲第８号証〜甲第１２号証、甲第１３号証〜甲第１７号証に記載された又は電気通信回線を通じて公衆に利用可能となった技術的事項に基いて、本件特許出願前にその発明の属する技術の分野における通常の知識を有する者が容易に発明をすることができたものであるから、請求項１〜９に係る特許は、特許法第２９条第２項の規定に違反してされたものである。
２　サポート要件
異議申立理由２：請求項１〜９に係る発明について、請求項１〜９に係る発明の効果を奏することが確認されているのは全窒素量（ｍｇ／１００ｍＬ）／総ポリフェノール量（質量ｐｐｍ）が０．３５〜３．０のうち１．０８８〜１．０８９のビールテイスト飲料及びその製造方法のみであり、また、原麦汁エキス（Ｏ−Ｅｘ）濃度が１０〜１３質量％のビールテイスト飲料及びその製造方法のみであるが、請求項１〜９に係る発明は、この範囲外であるビールテイスト飲料及びその製造方法を含むから、さらに、本件明細書の実施例の製造方法が一般的なものであるのに全窒素量が高濃度であり、当業者が製造、追試、効果の理解ができないから、発明の詳細な説明に記載されたものとはいえず、本件特許は、特許請求の範囲の記載が不備のため、特許法第３６条第６項第１号に規定する要件を満たしていない特許出願に対してされたものである。
３　実施可能要件
異議申立理由３：請求項１〜９に係る発明について、請求項１〜９に係る発明の効果を奏することが確認されているのは全窒素量（ｍｇ／１００ｍＬ）／総ポリフェノール量（質量ｐｐｍ）が０．３５〜３．０のうち１．０８８〜１．０８９のビールテイスト飲料及びその製造方法のみであり、また、原麦汁エキス（Ｏ−Ｅｘ）濃度が１０〜１３質量％のビールテイスト飲料及びその製造方法のみであるが、請求項１〜９に係る発明は、この範囲外であるビールテイスト飲料及びその製造方法を含むから、さらに、本件明細書の実施例の製造方法が一般的なものであるのに全窒素量が高濃度であり、当業者が製造、追試、効果の理解ができないから、本件明細書には、請求項１〜９に係る発明の全範囲において当業者が実施できるように記載されているとはいえず、本件特許は、発明の詳細な説明の記載が不備のため、特許法第３６条第４項第１号に規定する要件を満たしていない特許出願に対してされたものである。
　　　　　　　　　　　　　　　　　　記
甲第１号証：Ｊ．Ａ．Ｄｅｌｃｏｕｒ　外４名，Ｊ．Ｉｎｓｔ．Ｂｒｅｗ．，Ｖｏｌ．９０，１９８４年，ｐ．６７〜７２，＜ＵＲＬ：ｈｔｔｐｓ：／／ｏｎｌｉｎｅｌｉｂｒａｒｙ．ｗｉｌｅｙ．ｃｏｍ／ｄｏｉ／ａｂｓ／１０．１００２／ｊ．２０５０−０４１６．１９８４．ｔｂ０４２３９．ｘ＞を通じて入手
甲第２号証：国武　直之，第３章　含窒素化合物，日本醸造協会雑誌，財団法人日本醸造協会，第７１巻，第９号，１９７６年，ｐ．６８２〜６８８＜ＵＲＬ：ｈｔｔｐｓ：／／ｗｗｗ．ｊｓｔａｇｅ．ｊｓｔ．ｇｏ．ｊｐ／ｂｒｏｗｓｅ／ｊｂｒｅｗｓｏｃｊａｐａｎ１９１５／７１／９／＿ｃｏｎｔｅｎｔｓ／−ｃｈａｒ／ｊａ＞を通じて入手
甲第３号証：財団法人　日本醸造協会編，醸造物の成分，平成１１年１２月１０日，ｐ．１９６〜２０１
甲第４号証：Ｒ．Ｔ．Ｆｏｓｔｅｒ　ＩＩ　外２名，Ｔｈｅ　Ｃｏｎｔｒｉｂｕｔｉｏｎ　ｏｆ　Ｐｏｓｔ−Ｆｅｒｍｅｎｔａｔｉｏｎ　Ｂｉｔｔｅｒｉｎｇ　ｔｏ　Ｂｅｅｒ　Ｃｏｍｐｏｓｉｔｉｏｎ　ａｎｄ　Ｓｔａｂｉｌｉｔｙ，ＭＢＡＡ　Ｔｅｃｈｎｉｃａｌ　Ｑｕａｒｔｅｒｌｙ，Ｖｏｌ．３７，Ｎｏ．１，２０００年，ｐ．８９〜９５＜ＵＲＬ：ｈｔｔｐｓ：／／ｗｗｗ．ｍｂａａ．ｃｏｍ／ｐｕｂｌｉｃａｔｉｏｎｓ／ｔｑ／ｔｑＰａｓｔＩｓｓｕｅｓ／２０００／Ａｂｓｔｒａｃｔｓ／ｔｑ００ａｂ２４．ｈｔｍ＞を通じて入手
甲第５号証：特開２０１９−９２５１６号公報
甲第６号証：Ｓ．Ｈａｎｋｅ，Ｕｎｔｅｒｓｕｃｈｕｎｇｅｎ　ｚｕｍ　Ｅｉｎｆｌｕｓｓ　ｄｅｒ　Ｈｏｐｆｕｎｇｓｔｅｃｈｎｏｌｏｇｉｅ　ａｕｆ　ｄｉｅ　Ｇｅｓｃｈｍａｃｋｓｓｔａｂｉｌｉｔａｅｔ　ｕｎｄ　Ｈａｒｍｏｎｉｅ　ｕｎｔｅｒｇａｅｒｉｇｅｒ　Ｂｉｅｒｅ，ミュンヘン工科大学，２００９年１２月１１日
＜ＵＲＬ：ｈｔｔｐｓ：／／ｍｅｄｉａｔｕｍ．ｕｂ．ｔｕｍ．ｄｅ／ｄｏｃ／８０８７１２／８０８７１２．ｐｄｆ＞
甲第７号証：国際公開第２０１０／０８４０１８号
甲第８号証：ＨＡＣＫ著，カラーブックス　ビール入門，株式会社保育社，平成２年８月２０日，ｐ．６０
甲第９号証：稲保幸　著，世界酒大事典，株式会社柴田書店，１９９５年８月１日，ｐ．１３７
甲第１０号証：平野陽三　発行，世界のビール図鑑，株式会社ガイアブックス，２０１８年１月２０日，ｐ．１４８
甲第１１号証：佐藤純一，ロシアの飲みもの，月刊言語，株式会社大修館書店，１９８３年，Ｖｏｌ．１２，Ｎｏ．８，ｐ．３３
甲第１２号証：坂口謹一郎，モスクワの酒，日本醸造協会雑誌，財団法人日本醸造協会，第５７巻，第１号，１９６２年１月１５日，ｐ．２０〜２５＜ＵＲＬ：ｈｔｔｐｓ：／／ｗｗｗ．ｊｓｔａｇｅ．ｊｓｔ．ｇｏ．ｊｐ／ｂｒｏｗｓｅ／ｊｂｒｅｗｓｏｃｊａｐａｎ１９１５／５７／１／＿ｃｏｎｔｅｎｔｓ／−ｃｈａｒ／ｊａ＞を通じて入手
甲第１３号証：特開２０１８−５０５７１号公報
甲第１４号証：Ｓ．Ｃｏｇｈｅ　外４名，Ｊ．Ａｇｒｉｃ．Ｆｏｏｄ．Ｃｈｅｍ．第５２巻，第３号，２００４年，ｐ．６０２〜６０８，インターネット［検索日：２０２０年１２月１日］＜ｈｔｔｐｓ：／／ｐｕｂｓ．ａｃｓ．ｏｒｇ／ｄｏｉ／１０．１０２１／ｊｆ０３４６５５６＞
甲第１５号証：特開２０１６−１４４４６７号公報
甲第１６号証：国際公開２０１４／１１９０６５号
甲第１７号証：特開２０１８−５７３５０号公報
第４　当審の判断
異議申立理由１Ａ及び異議申立理由１Ｂ（進歩性）について
１　甲号証の記載事項
（１）甲第１号証
　本願の出願前頒布された刊行物である甲第１号証には、以下の記載がある。
　訳文にて示す。
（１ａ）「ホップ無しとホップ有りのオールモルト（麦芽１００％）ピルスナービールを、プロアントシアニジンフリーの麦芽（ａｎｔ　１３−１３ｘＲｕｐａｌ）と通常の麦芽（Ｇａｔｉｎａｉｓ）を用いて醸造した。タンニンフリーのホップエキスを使用した。ビールは化学的に分析され、苦味における可能な嗜好性と違いを検出するために、専門家とトレーニングを受けていない味覚パネルの両方に供された。対比較試験は、３％の有意差で、無ホップビールの苦みの評価に違いがあり、プロアントシアニジンを含まないビールの方が苦いころを示す。パネリストは渋味の違いを検出せず、どちらのビールも嗜好性に違いはなかった。ホップビールの場合、対比較試験では、苦味、渋味、嗜好の違いはみられなかった。最後に専門家とトレーニングを受けていないパネルの両方を使用して行った三点試験法において、５％の有意差で、ホップ無しとホップ有りのプロアントシアニジンフリーと通常のビールに差はみつからなかった。」（６７頁　要約）
（１ｂ）「ビール醸造−各醸造用の挽いた麦芽（９ｋｇ）を４５℃３０リットルの醸造水ですりつぶした。３０分後注入により温度は約２０分で６３℃まで上昇した。温度を６３℃で３０分間一定に保ち、その後、約１０分で７０℃まで上昇させた。４５分後使用済み穀物を甘麦汁から分離し、熱水(７０℃)を散布した。その増量と散布工程に約９０分をかけた。次に、麦汁を０．５Ｍ硫酸でｐＨ５．２に酸性化し、酸を添加する前に分析用の甘麦汁サンプルを採取した。甘麦汁の沸騰に９０分をかけた。ホップありのビールの場合には、沸騰（煮沸）工程の初めにα酸（１００ｍｇ／ｌ）を添加する。総量の約１０％が沸騰中に蒸発した。
　麦汁(約６０リットル)を約１５分で８℃に冷却した。ホップありの麦汁３００ｍｌに懸濁したサッカロミセス　カールスバーゲンシス９０ｍｇを添加し、麦汁を滅菌された酸素で酸化した。発酵容器を９℃で５日間維持した。その後、ビールを二酸化炭素圧力下ラガータンクへ移した。第２次発酵を９℃で７日間行った。」（６７頁右欄１４〜３４行)
（１ｃ）「Ｇａｔｉｎａｉｓ及びａｎｔ１３−１３ｘＲｕｐａｌ麦芽から生産された無ホップ及びホップ有りビールのビール分析
分析　　　　　　　　　　　　ビール１　ビール２　ビール３　ビール４
総ポリフェノールｍｇ／Ｌ　　136　　　　52　　　　135　　　　49
アントシアノーゲンｍｇ／Ｌ　34.6　　　　5.5　　　35.1　　　　4.3
苦味価　ＥＢＣユニット　　　2.7　　　　　4.1　　　21.1　　　21.4
原麦汁エキス％　　　　　　　11.09　　　10.96　　　11.25　　10.95
・・・
総タンパク質量ｇ／Ｌ　　　　4.57　　　　4.58　　　4.46　　　4.47
・・・
ビール１：Ｇａｔｉｎａｉｓ麦芽、無ホップ
ビール２：ａｎｔ１３−１３ｘＲｕｐａｌ麦芽、無ホップ
ビール３：Ｇａｔｉｎａｉｓ麦芽、ホップ有り
ビール４：ａｎｔ１３−１３ｘＲｕｐａｌ麦芽、ホップ有り」（６９頁表４）
（２）甲第２号証
　本願の出願前頒布された刊行物である甲第２号証には、以下の記載がある。
（２ａ）６８２頁の　「第１表　ビールの全窒素　（ｍｇ／ｌ）」と題する表には、
対象ビールとして、各引用文献に記載された、それぞれ、日本（各社）、日本　全麦芽ビール、アメリカ、カナダ、欧大陸諸国、英・アイルランド　ポータ、アメリカ　エール、カナダ　エール、アイルランド　スタウト、日本（各社）　スタウト、日本（各社）　黒ビールについて、それぞれ、全窒素が［平均（範囲）］で、［４９０（４００−５８０）］、［７１０（６３０−７８０）］、［４７０（４２０−５９０）］、［６１０（５００−７７０）］、［６１０（３７０−８５０）］、［７６０（７５０−７６０）］、［４８０（４５０−５００）］、［６９０（５６０−８２０）］、［１０００（８６０−１０９０）］、［９２０（８００−１０３０）］、［８３０（７２０−９１０）］であることが示されている。
（２ｂ）「近年，ビール蛋白の研究にもゲルろ（決定注：原文では、さんずいに戸）過法が導入されて４０１）〜４０７），ようやく分子量分画的な研究が現れ始めたが，まだ数値的にまとめ得べきデータがほとんど無い。一例だけ挙げると，Ｎａｒｚｉβ　ら４０７）はドイツの１２％淡色ビール２点について次の様に報告している。
　第５表　“ビール蛋白”の分子量分布
・・・・・・・・・・・・・・・・・・・・・・・・・・・・・・・
ｍｇ／ｌ　全窒素×6.25　　　分子量分布
　　　　　　　　　　　　〜2600　〜4600　〜1.2万　〜3万　〜6万
・・・・・・・・・・・・・・・・・・・・・・・・・・・・・・・
ビールＡ　2,390　　　　1,035　　410　　　815　　　70　　　65
ビールＢ　2,530　　　　1,360　　660　　　205　　　180　　120
・・・・・・・・・・・・・・・・・・・・・・・・・・・・・・・」
（６８４頁右欄２８〜３２行及び第５表）
（３）甲第３号証
　本願の出願前頒布された刊行物である甲第３号証には、以下の記載がある。
（３ａ）「（１）窒素化合物とその由来
イ　含有量
　ビールの全固形分の約５％が窒素化合物である。ビールの種類によって異なるが，その範囲は約２５０ｍｇ／ｌから１，０００ｍｇ／ｌに及ぶ１）。日本の主なビールの全窒素含量は，副原料使用ビールで４５０〜６００ｍｇ／ｌ，全麦芽ビールでは７００〜９００ｍｇ／ｌの範囲である。第１表に国産市販ビールの全窒素化合物の含量を示す２）。
ロ　由来と生成経路
　ビール中の窒素化合物の由来は，原料の麦芽や副原料と発酵過程での生成がほとんどである。特にタンパク質・ペプチド・アミノ酸は，量的にはほとんどすべて大麦のタンパク質に由来する。ホップも粗タンパク１３〜２４％を含み，その大部分は可溶性であるが，もともとホップの使用量は麦芽・副原料の１／１００にすぎないから量的には問題とするに足りない３）。」（１９６頁左欄６〜２１行）
（３ｂ）「　第１表　国産市販ビールの全窒素化合物含量の分析例２）
・・・・・・・・・・・・・・・・・・・・・・・・・・・・・・
ビールの種類　　　　　Lager　 　 　　　　　　　All malt
　　　　　　　　　　ＡからＥ　　　　　　　　ＦからＨ
・・・・・・・・・・・・・・・・・・・・・・・・・・・・・・
全窒素(mg/l)　550　540　450　480　500　　　790　720　820
・・・・・・・・・・・・・・・・・・・・・・・・・・・・・・
」（１９６頁第１表）
（４）甲第４号証
　本願の出願前に電気通信回線を通じて公衆に利用可能となった電子的技術情報である甲第４号証には、以下の記載がある。
　訳文にて示す。
（４ａ）「パイロット醸造
クアーズパイロット醸造所は、ライトビールとラガービールの両方を、麦芽と副原料の比率を６０：４０で醸造した。副原料は、精製されたでんぷん粉と米で構成されていた。ヘリオットワット大学パイロット醸造所は、１００％麦芽でラガービールを醸造した。両方のパイロット醸造所でのこれらの試験における無ホップビールは、さまざまな苦味レベルになるように、パッケージされたビールに事前に異性化されたアルファ酸で発酵後にホップ処理された。両方のパイロット醸造所からのビールの一部は、ボトルを必要な時間温水に沈めることによって加熱殺菌された。」
（９０頁左欄６〜１５行）
（４ｂ）「加熱殺菌されていない及び加熱殺菌されたホップ添加ラガービール（６０：４０、麦芽：副原料）の両方の物理的安定性は、ホップ無添加ビールと比較して、より大きな永続的および寒冷の混濁の発生を示した。無ホップラガーに対する、事前に異性化されたＩＡＡを使用した発酵後のホッピングは、総ポリフェノールレベルを増加させ、おそらくポリフェノール感受性タンパク質相互作用を増加させ、ホップ添加ビールの物理的安定性を低下させた（表３参照）。」（９１頁右欄１〜８行）
（４ｃ）「　
ビール　ボトル充填　ＩＢＵ１　ＩＡＡ２　ポリフェノール　永続的な混濁　寒冷混濁　総混濁
タイプ　ビール処理　ｍｇ／Ｌ　ｍｇ／Ｌ　ｍｇ／Ｌ
・・・・・・・・・・・・・・・・・・・・・・・・・・・・・・・・・・・・・・・・・・・
ラガー　非加熱殺菌　１０．８　　９．５　　　８５．６　　　３．３２　１．９４　５．２６
ラガー　非加熱殺菌　　１．６　　０．５　　　６２．１　　　２．１０　０．３４　２．４４
ラガー　　加熱殺菌　１０．９　１０．３　　　８３．０　　　１．６１　０．７６　２．３７
ラガー　　加熱殺菌　　１．４　　０．５　　　６４．５　　　１．５４　０．２７　１．８１
・・・・・・・・・・・・・・・・・・・・・・・・・・・・・・・・・・・・・・・・・・・
１−ＩＢＵ＝国際苦味価　３−２０℃での全シグリスト角度（ＥＢＣフォルマジン単位）
２−ＩＡＡ＝イソ−α酸　４−０℃での全シグリスト角度（ＥＢＣフォルマジン単位）
　　　　　　　　　　　　　　　　　　　　表３
異性化ホップエキスを後発酵後添加した加熱殺菌ビールと非加熱殺菌ビールのポリフェノールと物理的安定性の比較」（９２頁表３）
（５）甲第５号証
　本願の出願前に頒布された刊行物である甲第５号証には、以下の記載がある。
（５ａ）「【請求項１】
　苦味価が５未満、総ポリフェノール量が３０ｍｇ／Ｌ以上、総ポリフェノール量（ｍｇ／Ｌ）に対する全窒素量（ｍｇ／Ｌ）の比が０．１超３．０以下である、ビールテイスト飲料。」
（５ｂ）「【発明が解決しようとする課題】
【０００４】
　ビールらしい香味の付与に用いられる原材料として、ホップが通常用いられる。一方、ビールテイスト飲料がホップ由来の苦味成分を含む場合、飲みにくいと感じられる場合があった。
【０００５】
　本発明は、飲みにくさを解消しつつ、ビールらしいコク及びキレを有するビールテイスト飲料の提供を目的とする。」
（５ｃ）「【００１３】
　ビールテイスト飲料は、アルコール度数が１ｖ／ｖ％以上であるビールテイストアルコール飲料であってもよく、アルコール度数が１ｖ／ｖ％未満であるノンビールテイストアルコール飲料であってもよい。本実施形態に係るビールテイスト飲料は、ビールテイスト飲料としてのアルコール感を担保する観点から、アルコール度数が１ｖ／ｖ％以上であるビールテイストアルコール飲料であることが好ましい。ビールテイストアルコール飲料は、例えば、蒸留アルコールを添加したものであってもよく、発酵工程を介してアルコールを含むものとなったものであってもよい。なお、アルコール度数とは、ビールテイスト飲料に含まれるエタノールの含有量を意味する。」
（５ｄ）「【００１８】
　本実施形態に係るビールテイスト飲料の苦味価は、５未満であればよく、飲みやすさがより改善される観点から、４．５以下、４．０以下、３．５以下、３．０以下、２．５以下又は２．０以下であってよい。ビールテイスト飲料の苦味価は、０．５以上、１．０以上又は１．５以上であってよい。」
（５ｅ）「【００２１】
　本実施形態に係るビールテイスト飲料の総ポリフェノール量は、ビールらしいコク及びキレがより優れたものとなるという観点から、４０ｍｇ／Ｌ以上、６０ｍｇ／Ｌ以上、１００ｍｇ／Ｌ以上、１２５ｍｇ／Ｌ以上、１５０ｍｇ／Ｌ以上、２００ｍｇ／Ｌ以上、２５０ｍｇ／Ｌ以上、３００ｍｇ／Ｌ以上、４００ｍｇ／Ｌ以上、又は５００ｍｇ／Ｌ以上であってよい。総ポリフェノール量は、３０００ｍｇ／Ｌ以下、２６００ｍｇ／Ｌ以下、１０００ｍｇ／Ｌ以下、５１５ｍｇ／Ｌ以下、又は２６０ｍｇ／Ｌ以下であってもよい。総ポリフェノール量は、原料の種類及び使用量を調整することにより、上記範囲に適宜設定することができる。また、総ポリフェノール量は、例えば、製造工程の任意の段階におけるカテキン、ヘスペリジン、赤ワインエキス等の添加、ポリビニルポリピロリドン（Polyvinylpolypyrrolidone；ＰＶＰＰ）を用いた処理等により調整することもできる。
【００２２】
　本実施形態に係るビールテイスト飲料の全窒素量は５０ｍｇ／Ｌ以上であってよい。全窒素量は、ビールらしいコクがより一層良好になるという観点から、６０ｍｇ／Ｌ以上、１００ｍｇ／Ｌ以上、１１０ｍｇ／Ｌ又は、１２０ｍｇ／Ｌ以上であってよく、ビールらしいキレがより一層良好になるという観点から、１０００ｍｇ／Ｌ以下、５００ｍｇ／Ｌ以下、又は４８０ｍｇ／Ｌ以下であってもよい。」
（５ｆ）「【００２４】
　総ポリフェノール量（ｍｇ／Ｌ）（以下、「ＴＰＰ」ともいう。）に対する全窒素量（ｍｇ／Ｌ）（以下、「ＴＮ」ともいう。）の比（ＴＮ／ＴＰＰ）は、０．１超３．０以下である。ＴＮ／ＴＰＰは、２．５以下、２．０以下、１．５以下、１．０以下又は０．９以下であってもよく、０．１５以上、０．２以上又は０．３以上であってもよい。ＴＮ／ＴＰＰが上記範囲内であることにより、ビールらしいコク及びキレがより一層優れたものとなる。ＴＮ／ＴＰＰは、全窒素量及び／又は総ポリフェノール量を、上記記載の方法で調整することで、上記記載の範囲に適宜設定することができる。
【００２５】
　本実施形態に係るビールテイスト飲料は、原料として麦原料を含んでいてもよく、含んでいなくてもよい。本明細書において麦原料とは、麦又は麦加工物をいう。麦としては、例えば、大麦、小麦、ライ麦、カラス麦、オート麦、ハト麦、エン麦が挙げられる。麦加工物としては、例えば、麦エキス、麦芽、モルトエキスが挙げられる。麦エキスは、麦から糖分及び窒素分を含む麦エキス分を抽出することにより得られる。麦芽は麦を発芽させることにより得られる。モルトエキスは、麦芽から糖分及び窒素分を含むエキス分を抽出することにより得られる。麦原料は、１種を単独で使用してもよく、複数種を併用してもよい。」
（５ｇ）「【００２８】
  本実施形態に係るビールテイスト飲料は、原料として麦原料以外の植物原料を含んでもよい。言い換えれば、当該ビールテイスト飲料は、原料として、植物原料を使用したものであってよい。麦原料以外の植物原料としては、例えば、とうもろこし、米類、コウリャン等の穀類；馬鈴薯、サツマイモ等のイモ類；大豆、エンドウ等の豆類等が挙げられる。麦原料以外の植物原料としては、１種を単独で使用してもよく、複数種を併用してもよい。本実施形態に係るビールテイスト飲料は、原料としてスターチ、グリッツ等の澱粉原料を含んでいてもよい。本実施形態に係るビールテイスト飲料は、原料として、大豆、エンドウ及びとうもろこしからなる群より選択される少なくとも１種を含むことが好ましく、原料として、大豆及びエンドウからなる群より選択される少なくとも１種を含むことがより好ましい。本実施形態に係るビールテイスト飲料は、原料として、上記植物原料に由来するタンパク質又はその分解物（例えば、エンドウタンパク分解物）を含んでいてよい。」
（６）甲第６号証
　本願の出願前に頒布された刊行物である甲第６号証には、以下の記載がある。
　訳文にて示す。
（６ａ）「ホップ添加技術が下面発酵ビールの味の安定性と調和に及ぼす影響の調査」（タイトル）
（６ｂ）「・・・
ＨＡ０−ホップなしのビール、セントヨハン
・・・
ＴＡ０−ホップなしのビール、ヴァイエンシュテファン
・・・」（ＩＶ〜ＶＩＩ頁）
（６ｃ）「３．１．３　ホップを添加しないビールの製造
ホップを添加しないビールの製造は、市販の淡色のピルスナー用の麦芽を張り湯比１：４で使用した。仕込み方法ホッホクルツ製法（６２℃アインマイシュ）で表４の通りの温度で実施した。
表４　マッシングプロセス
アインマイシェ
・・・
アプマイシェン
・・・
濾過槽にて１５分間の濾過槽静置後に濾過を実施し、（一番麦汁を加えて）全部で３０Lの二番麦汁を得て、煮沸開始前の取切麦汁のエキスは、１０．４％のものが得られた。ホップ添加なしで６０分間煮沸後に６５Lのエキス１１．２％の煮上がり麦汁を得、ワールプールに送り、２０分間以内で熱トルーブを除去した。・・・苦み成分は、イソフムロン濃縮液で調整し、官能検査の数時間前に瓶に添加した。」（３９頁１〜最下行）        
（６ｄ）「表３５：ホップの投与量とホップ製品を変更するための一連のテスト結果
ホップ添加　　　　　　　　　　　　　　　　０ＢＥ
ホップの種類　　　　　　　　　　　　　　ＣＯ２抽出物
・・・・・・・・・・・・・・・・・・・・・・・・・・
麦汁
ｐＨ　　　　　　　　　　　　　　　　　　　５．５４
色度［ＥＢＣ］　　　　　　　　　　　　　　８．５
エキス［ＧＧ％］　　　　　　　　　　　　　１２．２３
全窒素［ｍｇ／ｌ］　　　　　　　　　　　　１０２２
凝固性窒素［ｍｇ／ｌ］　　　　　　　　　　　５８
ＴＢＺ　　　　　　　　　　　　　　　　　　　４５
苦味価［ＢＥ］　　　　　　　　　　　　　　　　２
イソ−α−酸［ｍｇ／ｌ］　　　　　　　　　　　−
α−酸［ｍｇ／ｌ］　　　　　　　　　　　　　　−
・・・・・・・・・・・・・・・・・・・・・・・・・・・」
（１０２頁　表３５）
（６ｅ）「表４０：異なる熟成ホップを使用した場合のビールの分析結果
・・・・・・・・・・・・・・・・・・・・・・・・・・・・・・・・・
・・・・・・・・・・・・・・・・・・・・・・・・無ホップ
・・・・・・・・・・・・・・・・・・・・・・・・・・・・・・・・・
ビール・・・・・・・・・・・・・・・・・・・・・・・・・・・・・・
総ポリフェノール［ｍｇ／ｌ］　　　　　　　　　　１２２
（中略）
苦味価　　　　　　　　　　　　　　　　　　　　　−
ｐＨ　　　　　　　　　　　　　　　　　　　　　　４．３０
原麦汁［ＧＧ％］　　　　　　　　　　　　　　　　１２．３
アルコール［容量％］　　　　　　　　　　　　　　５．１５
イソ−α−酸［ｍｇ／ｌ］　　　　　　　　　　　　−
α−酸［ｍｇ／ｌ］　　　　　　　　　　　　　　　−
（後略）　　　　　　　　　　　　　　　　　　　　　　　　　　　　」
（１１８頁　表４０）
（６ｆ）「表４８：異なるホップ投与時間でのビールの結果
ビール・・・・・・・・・・・・・・・・・・・・・無ホップ
ｐＨ・・・・・・・・・・・・・・・・・・・・・・４．３０
原麦汁［ＧＧ％］　　　　　　　　　　　　　　　　１２．３
アルコール［容量％］　　　　　　　　　　　　　　５．１５
総ポリフェノール［ｍｇ／ｌ］　　　　　　　　　　１２２
（中略）
苦味価　　　　　　　　　　　　　　　　　　　　　−
イソ−α−酸［ｍｇ／ｌ］　　　　　　　　　　　　−
α−酸［ｍｇ／ｌ］　　　　　　　　　　　　　　　−
（後略）　　　　　　　　　　　　　　　　　　　　　　　　　　　　」
（１３６頁　表４８）
（６ｇ）「表５０：シリーズＡのビール分析（ヴァイエンシュテファン）
・・・・・・・・・・・・・・・・・・・・・・・・ＴＡ０
原麦汁［質量％］　　　　　　　　　　　　　　　　１１．３３
アルコール［容量％］　　　　　　　　　　　　　　４．８６
（中略）・・・・・・・・・・・・・・・・・・・・・・・・・
ｐＨ　　　　　　　　　　　　　　　　　　　　　　４．４３
色度　　　　　　　　　　　　　　　　　　　　　　６．２
総ポリフェノール［ｍｇ／ｌ］　　　　　　　　　　１４５
（中略）
イソ−α−酸［ｍｇ／ｌ］　　　　　　　　　　　　−
α−酸［ｍｇ／ｌ］　　　　　　　　　　　　　　　−」
（１３９頁　表５０）
（６ｈ）「表５１：シリーズＡのビール分析（セントヨハン）
・・・・・・・・・・・・・・・・・・・・・・・・ＨＡ０
原麦汁［質量％］　　　　　　　　　　　　　　　　１１．７８
アルコール［容量％］　　　　　　　　　　　　　　５．１４
（中略）・・・・・・・・・・・・・・・・・・・・・・・・・
ｐＨ　　　　　　　　　　　　　　　　　　　　　　４．６６
色度　　　　　　　　　　　　　　　　　　　　　　６．９
総ポリフェノール［ｍｇ／ｌ］　　　　　　　　　　１６３
（中略）
イソ−α−酸［ｍｇ／ｌ］　　　　　　　　　　　　１．９
α−酸［ｍｇ／ｌ］　　　　　　　　　　　　　　　０．０」
（１４０頁　表５１）
（７）甲第７号証
　本願の出願前に電気通信回線を通じて公衆に利用可能となった電子的技術情報である甲第７号証には、以下の記載がある。
　訳文にて示す。
（７ａ）「本発明は、麦芽汁をベースとする発酵飲料およびその製造方法に関する。」（１頁５〜６行）
（７ｂ）「まず、麦芽を用意する。次いで、麦芽は麦汁に加工され、この麦汁は、最終的に、ここに記載されたプロセスパラメータの下で麦芽糖を発酵させない、または麦芽糖を発酵させない、いわゆるマルトース非資化性酵母の少なくとも１種の酵母を用いて発酵される。有利なことに、結果として得られる飲料には、麦汁の香りはもはや存在しない。マルトース非資化性酵母を使用することにより、モルトフレーバー飲料が得られる。発酵が止まるポイントによって、飲料のアルコール度数が変化することがある。該飲料は、エタノールの含有量が０．５容量％以下であることが好ましく、特に０．３容量％以下であることが好ましい。」（１頁２８行〜２頁３行）
（７ｃ）「好ましくは、モルトベースの麦汁は、アンホッピングされたモルトベースの麦汁である。本発明に従った工程が、ノンアルコールビールおよび苦味を有する飲料を製造するために使用される場合、麦芽ベースの麦汁は、ホップを含んでいてもよい。本発明に従ったノンアルコールビールは、４０苦単位未満、好ましくは２０〜３１苦単位、特に好ましくは２６苦単位の苦味を有していてもよい。本発明に従うノンアルコールビールは、エキスの含有量が１０％未満、好ましくは３〜９％、特に好ましくは５〜７％で製造される。」（２頁２９行〜３頁２行）
（７ｄ）「麦芽のみに基づく麦汁に基づく飲料の製造とは別に、麦汁は、上述のように、大麦、米および／またはトウモロコシなどの少なくとも１つの生の果実成分を含んでいてもよい。生の果実としては大麦が好ましい。」（３頁４〜７行）
（７ｅ）「麦汁の製造に使用される麦芽の割合は、生の穀物の割合を添加することで減少する。本発明によれば、１％から５０％から９９％から５０％までの生の穀物麦芽を添加することができる（生の穀物と麦芽を合わせた割合が１００％となるように）。」（３頁９〜１１行）
（７ｆ）「したがって、本発明の好ましい実施形態では、乳酸菌の好ましい性質が知られているので、麦汁の発酵に乳酸菌を使用することができる。しかし、麦汁発酵における乳酸菌の使用には、ホップなどの微生物活性物質に対する乳酸菌の感受性について特別な配慮が必要である。したがって、本発明の好ましい実施形態では、飲料の製造にホップは使用されない。」（６頁３〜８行）
（７ｇ）「本発明の飲料は、好ましくはホップされていない麦汁ベースに基づいており、これはまた、生の穀物画分を有していてもよい。このような場合には、特に大麦が有利である。」（８頁９〜１１行）
（７ｈ）「表２　本発明に従った飲料の調製のための１つの好ましい処方
　　　　　　　　30kg中の配合量（kg）　％　ローラーミルでの粉砕［mm］
ピルスナー麦芽　　　　　　２１　　　　７０　　　　　１．７
（大麦麦芽）
大麦　　　　　　　　　　　４．５　　　１５　（事前に５−８分水に浸漬）
　　　　　　　　　　　　　　　　　　　　　　　　　　１．０
ライ麦芽　　　　　　　　　　３　　　　１０　　　　　０．７
着色麦芽
アロマ麦芽　　　　　　　　１．５　　　　５　　　　　１．７
メラノイジン麦芽　　　　　　　　　　　　　　　　　　　　　　　　　　」
（８頁１３〜１４行）
（７ｉ）「表３　異なる着色を有する本発明に従った飲料の調製のための１つの好ましい処方
　　　　　　　　　30kg中の配合量（kg）　％　ローラーミルでの粉砕［mm］
ピルスナー麦芽　１９．５−２２．５　６５−７５　　　　１．７
（大麦麦芽）
大麦　　　　　　　　３〜６　　　　　１０−２０（事前に５−８分水に浸漬）
　　　　　　　　　　　　　　　　　　　　　　　　　　　１．０
ライ麦芽　　　　　　　３　　　　　　　　１０　　　　　０．７
着色麦芽
アロマ麦芽　　　　　０−３　　　　　　０−１０　　　　１．７
メラノイジン麦芽　　　　　　　　　　　　　　　　　　　　　　　　　　　」
（９頁２１〜最下行）
（７ｊ）「クワス様飲料調製のために、表３に記載のレシピにおいて、風味に応じて、１％〜５％のメラノイド麦芽または着色麦芽の含有量をロースト麦芽に置き換えることができ、ライ麦芽の含有量を３０％まで増加させることができ、それに対応する大麦および麦芽の含有量を減少させることができる（表５を参照のこと）。
表５　本発明に従った飲料の調製のための別の特に好ましい処方（クワス様飲料）
　　　　　　　　　30ｋｇ中の配合量（kg）　％　ローラーミルでの粉砕［mm］
ピルスナー麦芽　　　２１　　　　　　　　６５　　　　　１．７
（大麦麦芽）
大麦　　　　　　　　　３　　　　　　　　１０　（事前に５−８分水に浸漬）
　　　　　　　　　　　　　　　　　　　　　　　　　　　１．０
ライ麦芽　　　　　　４．５　　　　　　　１５　　　　　０．７
着色麦芽
アロマ麦芽　　　　　１．８　　　　　　　　６　　　　　１．７
メラノイジン麦芽
ロースト麦芽　　　　１．２　　　　　　　　４　　　　　１．４」
（１０頁４〜最下行）
（７ｋ）「一態様において、麦芽−大麦麦芽ベースの発酵は、使用される様々な酵母を介して排他的に行われ、乳酸発酵によって乳酸が生成するのではなく、麦汁１００ｍｌあたり０．０１ｍｌ〜０．１８ｍｌ、好ましくは０．９ｍｌ〜０．１３ｍｌの範囲の乳酸を混合中に合成乳酸として添加されている。」（１３頁２１〜２５行）
（７ｌ）「実施例
ａ）　表１に示すマルトース非資化性酵母を用いてレシピに従って調製された飲料の分析値を示す。
右側の列は、それぞれの値が異なるレシピで優先的と見られる好ましい範囲を示し、左側の列は、可能性のある値または範囲を示す。例えば、アルコール含有量は、０．３容量％未満（右欄参照）であることが好ましいが、０．３容量％を超え、０．５容量％未満である場合がある（左欄参照）（例えば０．４０容量％のように）。このようなアルコール含有量の増加は、濾過に６〜８時間を要する場合に発生することがある。この期間中、最後の樽で二次発酵が行われ、その結果、体積が約０．１容量％増加した。
使用酵母：マルトース非資化性酵母
原麦汁：　　　　　　　　5％−14％　　　　　　　（7％−10％）
エキス：　　　　　　　　4％−13％　　　　　　　（6％−9％）
アルコール：　　　　　　＜0.50ｖｏｌ％　　　　（＜0.30ｖｏｌ％）
ｐＨ値：　　　　　　　　3.4−4.5　　　　　　　（3.4−4.1）
色：　　　　　　　　　　4−90　ＥＢＣ　　　　　（5−40　ＥＢＣ）
粘度：　　　　　　　　1.1−1.9ｍＰａ＊ｓ　（1.3−1.7ｍＰａ＊ｓ）
全窒素（１２％）：　　　700−1100ｍｇ／ｌ　（800−1000ｍｇ／ｌ）
凝固性窒素：　　　　　　15−45ｍｇ／ｌ　　　　（20−40ｍｇ／ｌ）
マグネシウム沈殿性窒素：150−280ｍｇ／ｌ　（170−260ｍｇ／ｌ）
遊離αアミノ態窒素：　　50−150ｍｇ／ｌ　（60−120ｍｇ／ｌ）
ポリフェノール類：　　　90−200ｍｇ／ｌ　（100ｍｇ／ｌ−180ｍｇ／ｌ）
アントシアノゲン：　　　25−80ｍｇ／ｌ
測光ヨード試料：　　　　0.10−0.50ｄＥ」
（１５頁８行〜最終行）
（７ｍ）「ｂ）サッカロマイコデス属のマルトース非資化性酵母（・・・）を用いて、表２に示す処方に従って調製された飲料の分析結果を示す。
原麦汁：　　　　　　　　８．５９％
アルコール：　　　　　　＜０．５０ｖｏｌ％
ｐＨ値：　　　　　　　　３．９
色：　　　　　　　　　　２０　ＥＢＣ
粘度：　　　　　　　　　１．６７７ｍＰａ＊ｓ
全窒素（１２％）：　　　　８６５ｍｇ／ｌ
凝固性窒素：　　　　　　　　２６ｍｇ／ｌ
マグネシウム沈殿性窒素：　２０３ｍｇ／ｌ
遊離αアミノ態窒素：　　　　８８ｍｇ／ｌ
ポリフェノール類：　　　　１１７ｍｇ／ｌ
アントシアノゲン：　　　　　３０ｍｇ／ｌ
測光ヨード試料：　　　　　０．３９　ｄＥ」
（１６頁１〜１６行）
（７ｎ）「ｃ）サッカロマイコデス属のマルトース非資化性酵母（・・・）を用いて、表２に示す処方に従って調製された飲料（１％着色モルトを含む）の分析結果を示す。
原麦汁：　　　　　　　　８．５３％
アルコール：　　　　　　＜０．５０ｖｏｌ％
ｐＨ値：　　　　　　　　４．０
色：　　　　　　　　　　１１　ＥＢＣ
粘度：　　　　　　　　　１．６５９ｍＰａ＊ｓ
全窒素（１２％）：　　　　９３３ｍｇ／ｌ
遊離αアミノ態窒素：　　　　９２ｍｇ／ｌ
凝固性窒素：　　　　　　　　４０ｍｇ／ｌ
マグネシウム沈殿性窒素：　２４２ｍｇ／ｌ
ポリフェノール類：　　　　１３２ｍｇ／ｌ
アントシアノゲン：　　　　　３０ｍｇ／ｌ
測光ヨード試料：　　　　　０．１６　ｄＥ」
（１６頁１８〜３３行）
（８）甲第８号証
　本願の出願前に頒布された刊行物である甲第８号証には、以下の記載がある。
　（８ａ）「準ビール飲料
　世界には様々なビールが存在するが、ビールに似ている準ビールとも呼ぶべき飲料もあちこちに残っている。
　有名なものとしては、ソ連特産のクワスがある。主原料がライ麦麦芽、副原料が生ライ麦か砂糖、ホップはあまり加えない。家庭でつくる際にはライ麦の黒パンを使う。アルコール含量は、〇・四〜〇・五％と低く、夏の飲み物として人気がある。」（６０頁１〜７行）
（９）甲第９号証
　本願の出願前頒布された刊行物である甲第９号証には、以下の記載がある。
（９ａ）「クヴァース　Ｋｖａｓｓ　古くからロシアで飲まれているビールの１種．ライ麦が基本原料になるが，小麦，燕麦などの他，発酵させたライ・パンを用いることもあり，また家庭では，パン屑を用いることもある．香り付けは普通行わないが，果物を使うこともある．酸味があり，アルコール分は１度から２．５度程度である．わが国ではクワスともいっている．」（１３７頁左欄クヴァースの項１〜７行）
（１０）甲第１０号証
　本願の出願前頒布された刊行物である甲第１０号証には、以下の記載がある。
（１０ａ）「液体のパン　クワス
・・・
ロシアでは“ｋｖａｓ（クワス）”という言葉は「発酵させる（ｌｅａｖｅｎ）」という意味があり、すなわちビールを「発酵させる（ｆｅｒｍｅｎｔｅｄ）」のと同じ状態を示す。
・・・
通常、アルコール度数は０．５〜１．５％ほどで、甘めであり、濁りの程度はさまざまだ。通常、残り物のパンを発酵させてつくられ、使うパンはライ麦パンが最的だ。
果物と香辛料で味付けされることがあるが、ホップは使われない。・・・」（１４８頁下部の「液体のパン　クワス」の項目）
（１１）甲第１１号証
　本願の出願前頒布された刊行物である甲第１１号証には、以下の記載がある。
「　さて一方、キエフ・ルーシ以来の古い伝統をもつ庶民の飲料にはクワス　ＫＢａＣ［ｋｖａｓ決定注：ａは原文ではａの上に’］がある。固くなった黒パンをくだいたものやライ麦の粉に水と麦芽を加えて軽く発酵させて作るが、ごく弱いアルコール分があり、冷やして飲むとビールに似た感じで、快い酸味と麦芽の香ばしい味が大人にも子供にも好まれている。」（３３頁上欄１０〜１４行）
（１２）甲第１２号証
　本願の出願前頒布された刊行物である甲第１２号証には、以下の記載がある。
「・・・しかし、ソ連を去る一日前にシロコフ博士が約束とおりクワスの一杯つまった・・・クワスの味を満喫することができた。それは丁度うすにごりの麦酒のような外観，色は日本の麦酒より，もっと褐色で，にごりは，どうも酵母が一杯浮いているふうなにごりでその様子はドイツのワイスビヤと思えばまちがいない。香りは若い酒のもろみのようであり，糖蜜の醸酵液のようでもある。味はといえば，甘ずっぱくてホップを加えない麦酒に甘い果汁を加えたような感じである。なるほどこれはうまい。」（２１頁左欄３〜１７行）
（１３）甲第１３号証
　本願の出願前頒布された刊行物である甲第１３号証には、以下の記載がある。
（１３ａ）「【０００５】
　しかしながら、原料中の麦芽の比率が低い低糖質のビールテイスト飲料は、濃醇さと後味の質（後味がしっかりしたものであり、かつ渋味が少ないものであること）が不十分であった。」
（１３ｂ）「【００２７】
　本実施形態に係るビールテイスト飲料は、原料中の麦芽の比率が６６．６質量％以下であればよく、５０質量％未満、又は２５質量％未満であってよい。原料中の麦芽の比率が上記範囲であると、ビールテイスト飲料の濃醇さと後味の質がより良好なものとなる。
【００２８】
　本実施形態に係るビールテイスト飲料は、原料が麦原料以外のものを含んでもよい。麦原料以外の原料は、例えば、トウモロコシ、米類、コウリャン等の穀類；馬鈴薯、サツマイモ等のイモ類；大豆、エンドウ等の豆類等の植物原料であってよく、スターチ、グリッツ、液糖等の糖質原料（糖類）であってもよい。本実施形態に係るビールテイスト飲料においては、より濃醇な味わいを担保する観点から、原料として麦原料以外の植物原料を用いないことが好ましい。また、本実施形態に係るビールテイスト飲料においては、甘みのべとつきを抑える観点から、原料として糖質原料（糖類）を用いないことが好ましい。さらに、本実施形態に係るビールテイスト飲料においては、より濃醇な味わいを担保する観点、甘みのべとつきを抑える観点から、原料として麦原料以外の植物原料及び糖質原料（糖類）を用いないことが好ましい。」
（１３ｃ）「【００３７】
　本実施形態に係るビールテイスト飲料は、４−ビニルグアヤコール（４−ビニル−２−メトキシフェノール；４−ＶＧ）を含んでいてもよい。ビールテイスト飲料が４−ビニルグアヤコールを含む場合、その濃度は０．３ｐｐｍ以上であることが好ましく、０．８ｐｐｍ以上であることがより好ましい。４−ビニルグアヤコールの濃度が上記範囲であると、ビールテイスト飲料の香りがより良好なものとなる。４−ビニルグアヤコールの濃度は、固相マイクロ抽出（ＳＰＭＥ）法に基づき、ガスクロマトグラフ質量分析装置（ＧＣ−ＭＳ）を用いて測定することができる。なお、定量は標準添加法によって実施することが好ましい。４−ビニルグアヤコールの濃度は、原料の種類及び使用量等によって調整することができる。」
（１３ｄ）「【００４２】
　本実施形態に係るビールテイスト飲料は、例えば、麦原料と水と必要に応じて酵素と各種添加剤を混合して麦原料を糖化し、糖化液を濾過して得られた麦汁に、必要に応じて、ホップの添加、煮沸、冷却等を行って発酵前液を得る仕込工程、発酵前液にビール酵母を添加して発酵させる発酵工程を経ることで製造することができる。また、発酵工程後の発酵後工程として、発酵工程で得られた発酵後液に対して濾過、加熱（殺菌）、アルコールの添加、カーボネーション等を行ってもよい。」
（１３ｅ）「【００４５】
　発酵後工程で添加するアルコールとしては、例えば、スピリッツを用いることができ、中でも大麦スピリッツが好ましい。一実施形態として、ビールテイスト飲料はスピリッツ（好ましくは、大麦スピリッツ）を含んでもよい。」
（１３ｆ）「【００４８】
〔製造例：ビールテイスト飲料の製造〕
（ビールテイスト飲料（Ａ液）の製造）
　粉砕した麦原料（麦芽の比率約５０質量％、残部は粉砕大麦）、水、粉砕大麦に対して０．５７質量％の多糖分解酵素を含む原料を仕込槽に投入し、常法に従って糖化液を製造した。得られた糖化液を濾過して麦汁を得た。得られた麦汁にホップを添加して煮沸し、沈殿物を分離、除去した後、冷却した。得られた発酵前液（冷麦汁）にビール酵母を添加し、所定期間発酵させ、アルコール度数約５ｖ／ｖ％のビールテイスト飲料（Ａ液）を製造した。
・・・
【００５０】
（ビールテイスト飲料（Ｃ液）の製造）
　仕込工程で、粉砕大麦に対して０．１５質量％のタンパク質分解酵素（プロテアーゼ）を更に投入したこと以外はビールテイスト飲料（Ａ液）の製造と同様の条件で、アルコール度数約５ｖ／ｖ％のビールテイスト飲料（Ｃ液）を製造した。
・・・
【００５５】
〔試験例１：ビールテイスト飲料の調製及び評価（１）〕
（サンプルの調製及び官能評価）
　Ａ液をサンプル１−１、Ａ液とＣ液を３：１の体積比で混合したものをサンプル１−２、Ａ液とＣ液を１：１の体積比で混合したものをサンプル１−３、Ｂ液をサンプル１−４、Ｃ液をサンプル１−５、Ｄ液をサンプル１−６、Ｅ液をサンプル１−７として、それぞれのサンプルについて、訓練された４名のパネルにより官能評価を行った。官能評価は、濃醇さと後味の質（後味がしっかりしたものであり、かつ渋味が少ないものであること）の評価項目について、５段階（５：良好〜１：不十分）で行い、その平均値を評価スコアとした。なお、評価スコアが２を超えるサンプルは、実用上の問題なく、良好な濃醇さ、又は後味の質を有しているものと評価される。結果を表１に示す。なお、サンプル１−５における４−ビニルグアヤコールの濃度は、０．８ｐｐｍであった。」
（１４）甲第１４号証
　本願の出願前に電気通信回線を通じて公衆に利用可能となった電子的技術情報である甲第１４号証には、以下の記載がある。
　訳文にて示す。
（１４ａ）「４−ビニルグアイアコール濃度は、ホップ添加の影響を受けなかった。」（６０５頁左欄８〜９行）
（１４ｂ）「表５　市販されているピルスナータイプ（Ｐ）、エール（Ａ）、ストロングブロンド（ＳＢ）、小麦（Ｗ）、及び小麦麦芽（ＷＭ）ビールの、フェルラ酸（ＦＡ）と４−ビニルグアイアコール（４−ＶＧ）濃度
・・・・・・・・・・・・・・・・・・・・・・・・・・・・・・
　　　　　ＦＡ　　４−ＶＧ　　　　　　ＦＡ　　４−ＶＧ
ビール　（mg/L）　（mg/L）　ビール　（mg/L）　（mg/L）
・・・・・・・・・・・・・・・・・・・・・・・・・・・・・・
Ｐ１　　　2.07　　　ＮＤ　　ＳＢ１　　5.92　　　0.53
Ｐ２　　　6.44　　　0.28　　ＳＢ２　　1.39　　　1.48
・・・・・・・・・・・・・・・・・・・・・・・・・・・・・・
」（６０７頁左欄　表５）
（１５）甲第１５号証
　本願出願前頒布された刊行物である甲第１５号証には、以下の記載がある。
（１５ａ）「【０００９】
　本発明は上記従来の問題を解決するものであり、その目的とするところは、ビールらしい風味が弱いビール様飲料に、ビールらしい風味を付与することができ、又はそのビールらしい風味を増強することができる添加物を提供することにある。」
（１５ｂ）「【００４０】
　実施例３
ビール様アルコール飲料Ｂの風味改善
麦芽を１５重量％（ｗ／ｗ）以下含有する穀物類をデンプン原料として用いて製造された、コクが少なくアルコール臭が目立つという特徴を有するビール様アルコール飲料Ｂを準備した。
【００４１】
実施例１で得られた凍結乾燥物を、１００ｍｌのビール様アルコール飲料Ｂにそれぞれ表２に示す量添加して、ビール様飲料を製造した。そして、得られたビール様飲料について、３人の専門評価者が、穀物香気及びコク感を１０段階で評価した。評価基準は、感じることができない場合は「０」であり、正の数に大きいほど官能が強いことを意味する。評価点は３名による評価の平均値とした。結果を表２に示す。
【００４２】
［表２］
【００４３】
その結果、ビール凍結乾燥物の添加量０．０５グラム（０．０５％）から、風味に変化が現れ、ビール様穀物香気、コク感が向上した。これらの結果から当該凍結乾燥物を、ビール様アルコール飲料に対して０．０５０％（ｗ／ｖ）以上含ませることにより風味改善効果を付与できることが示された。
【００４４】
　次いで、ビール凍結乾燥物を添加する前及び後にビール様アルコール飲料Ｂの成分を分析し、ビール凍結乾燥粉末の添加により、ビール様アルコール飲料Ｂ中にビールのコク形成成分が増大しているかどうかを確認した。総合的にビールのコクを形成する成分としては、ポリフェノール類などが知られている（日本味と匂学会誌 9(2), 143-146, 2002-08）。また、ビール中で穀物的な香り、カラメル様の穀物香気を有する化合物として、4-vinylguaiacol、2-acetyl pyrolineが知られている（J. Agric. Food Chem., 2006, 54 (23), pp 8855-8861）。
【００４５】
　ビール様アルコール飲料Ｂ１００ｍｌに対してビール凍結乾燥物１．０ｇを添加し、総ポリフェノール、全窒素、4-vinylguaiacol、2-acetyl pyrolineの含有量を測定した。総ポリフェノール「ビール酒造組合分析法8.19」に、全窒素の分析は「ビール酒造組合分析法8.9」に、4-vinylguaiacol、guaiacol、2-acetyl pyrolineの分析は、J. Sep. Sci. 2009, 32, 3746-3754に従った。結果を表３に示す。
【００４６】
［表３］
【００４７】
　これらの結果により、ビール凍結乾燥粉末の添加により、ビール様アルコール飲料Ｂ中にビールのコク形成成分が実際に増大していることが示された。」
（１６）甲第１６号証
　本願の出願前頒布された刊行物である甲第１６号証には、以下の記載がある。
（１６ａ）「［００１６］　麦芽はビールらしさを付与する重要な原料であるが、本発明に係る非発酵ビール様発泡性飲料においては、特定の１６の香気成分の少なくとも１種以上が添加されることによってビールらしさが付与される。当該１６の香気成分は、麦芽を原料としなくとも、原料由来の香気成分がほとんど含まれていない場合であっても、単独で添加することによってビールらしさを付与できる。」
（１６ｂ）「［００２９］　本発明に係る非発酵ビール様発泡性飲料が４−ビニルグアイアコールを含有する場合、飲料中の４−ビニルグアイアコール含有量は、０．２４〜３００００ｐｐｂが好ましく、１６〜４０００ｐｐｂがより好ましく、８０〜８００ｐｐｂがさらに好ましい。」
（１６ｃ）「［００６６］［実施例１］
　本発明者らは、ビールに含まれる主要香気成分を分析し、特に匂い強度の強い１６成分（３−メチル−１−ブタノール、イソバレリン酸、γ−ノナラクトン、４−ヒドロキシ−２，５−ジメチル−３−フラノン、２−アセチルチアゾール、４−ビニルグアイアコール、２−アセチル−１−ピロリン、２−プロピル−１−ピロリン、ミルセン、リナロール、β−ダマセノン、フェネチルアルコール、シス−３−ヘキセノール、３−メチル−２−ブテン−１−チオール、メチオノール、及び２−メチル−３−フランチオール）を同定した。
　各成分を製造例１で製造したベース液に様々な濃度で添加し、ビールらしさについて官能評価を実施した。官能評価は、２名の専門パネルにより、香気成分無添加のベース液の評価を中心値４とした７段階評価（ビールらしさが感じられない場合を１とし、非常に強く感じられた場合を７とする。）にて行った。また、表３〜５には、評価に当たり各パネルが述べたコメントも記載した。」
（１６ｄ）「［００６７］
［表３］
・・・・・・・・・・・・・・・・・・・・・・・・・・・・・・・・・・・・・・・・・・
４−Ｖｉｎｙｌｇｕａｉａｃｏｌ　添加
添加量（ｐｐｂ）　　　　官能コメント　　　　　ビールらしさ
　　　　　　　　　　　　　　　　　　　　　　　　　評価
８　　　　　　　　　　　わからない　　　　　　　　４
１６　　　　　　　　　　スモーキー、コク　　　　　５
８０　　　　　　　　　　スモーキー、コク　　　　　６
１６０　　　　　　　　　スモーキー、コク　　　　　６
８００　　　　　　　　　スモーキー、コク　　　　　６
４０００　　　　　　　　スモーキー　　　　　　　　５
８０００　　　　　　　　正露丸、香り強すぎる　　　３
（決定注：表示の関係で、項目と結果の縦横を逆に記載した。）
・・・・・・・・・・・・・・・・・・・・・・・・・・・・・・・・・・・・・・・・・・・　　　　　　　　　　　　
」
（１７）甲第１７号証
　本願の出願前頒布された刊行物である甲第１７号証には、以下の記載がある。
（１７ａ）「【０００４】
　しかしながら、４−ビニルグアイアコールを含有させた飲料においては、以下の問題点を有している。
　飲料において、４−ビニルグアイアコールの含有量を多くすると、するどい刺激的な香り（以下、刺激臭という）が強くなるといった問題がある。特に、非発酵の飲料やアルコール度数が低いビールテイスト飲料においては、刺激臭の強さはより顕著である。
　また、近年、例えば樽香（バニラ香）のような熟成香（以下、樽熟成香という）を強めた飲料等、飲用者の多様な嗜好に応えることのできる飲料の開発が望まれている。」
（１７ｂ）「【００１２】
［飲料］
　本実施形態に係る飲料は、４−ビニルグアイアコールと水溶性食物繊維とを含有し、前記４−ビニルグアイアコールの含有量が０．２ｍｇ／Ｌ以上である。
【００１３】
　ここで、飲料としては、例えば、ビールテイスト飲料、水、フレーバードウォーター、炭酸水、フレーバード炭酸水、茶飲料、コーヒー飲料、紅茶飲料、果汁含有飲料、ジュース、野菜飲料、ココア飲料、乳飲料等が挙げられる。ただし、飲料としてはこれらに限定されるものではなく、これら以外の飲料であってもよい。」
（１７ｃ）「【００１７】
　４−ビニルグアイアコールの含有量は、０．２ｍｇ／Ｌ以上であり、０．５ｍｇ／Ｌ以上であるのが好ましく、１．０ｍｇ／Ｌ以上であるのがより好ましく、１．５ｍｇ／Ｌ以上であるのがさらに好ましい。４−ビニルグアイアコールの含有量が所定値以上であることにより、ヴァイツェンビール様の香りを付与することができるとともに、水溶性食物繊維と組み合わせることによって、樽熟成香を強めることができる。
　また、４−ビニルグアイアコールの含有量は、４．０ｍｇ／Ｌ以下であるのが好ましく、３．０ｍｇ／Ｌ以下であるのがより好ましく、２．０ｍｇ／Ｌ以下であるのがさらに好ましい。４−ビニルグアイアコールの含有量が所定値以下であることにより、刺激臭をより抑制することができる。
【００１８】
　本実施形態に係る飲料の４−ビニルグアイアコールの含有量を所定値以上とする手法として、後記するように、混合工程において、所定量の４−ビニルグアイアコールを混合するという手法や、発酵工程を経る場合には、酵母の種類や発酵条件を制御するといった手法が挙げられる。
　本実施形態に係る飲料の４−ビニルグアイアコールの含有量は、例えば、固相マイクロ抽出−ガスクロマトグラフ−質量分析法（ＳＰＭＥ−ＧＣ−ＭＳ法）によって測定することができ、定量は標準添加法で実施することが好ましい。」
（１７ｄ）「【００３８】
［飲料の香味向上方法］
　次に、本実施形態に係る飲料の香味向上方法について説明する。
本実施形態に係る飲料の香味向上方法は、４−ビニルグアイアコールと水溶性食物繊維とを含有し、４−ビニルグアイアコールを所定値以上にとなるように調製する。
【００３９】
　対象となる飲料の４−ビニルグアイアコールの含有量は、０．２ｍｇ／Ｌ以上とし、０．５ｍｇ／Ｌ以上とするのが好ましく、１．０ｍｇ／Ｌ以上とするのがより好ましく、１．５ｍｇ／Ｌ以上とするのがさらに好ましい。また、対象となる飲料の４−ビニルグアイアコールの含有量は、４．０ｍｇ／Ｌ以下とするのが好ましく、３．０ｍｇ／Ｌ以下とするのがより好ましく、２．０ｍｇ／Ｌ以下とするのがさらに好ましい。」
（１７ｅ）「【００４２】
　なお、本実施形態に係る飲料、飲料の製造方法、及び飲料の香味向上方法において、明示していない特性や条件については、従来公知のものであればよく、前記特性や条件によって得られる効果を奏する限りにおいて、限定されないことは言うまでもない。
【実施例】
【００４３】
　次に、本発明の要件を満たす実施例とそうでない比較例とを例示して、本発明に係る飲料、飲料の製造方法、及び飲料の香味向上方法について説明する。
【００４４】
（サンプルの準備）
［試験１、試験２］
　４−ビニルグアイアコール、水溶性食物繊維として難消化性グルカン（フィットファイバー＃８０：日本食品化工株式会社製）、水を混合してサンプル液を準備した。
　なお、各サンプルについて、４−ビニルグアイアコールの含有量、水溶性食物繊維の含有量は、表１、２に示すとおりとした。
【００４５】
［試験３］
　４−ビニルグアイアコール、水溶性食物繊維、水を混合してサンプル液を準備した。水溶性食物繊維としては、難消化性グルカン（フィットファイバー＃８０：日本食品化工株式会社製）、難消化性デキストリン（パインファイバー：松谷化学工業株式会社製）、イヌリン（フジＦＦ：フジ日本精糖株式会社社製）を使用した。
　なお、各サンプルについて、４−ビニルグアイアコールの含有量、水溶性食物繊維の含有量は、表３に示すとおりとした。
【００４６】
［試験４］
　炭酸水に、大豆ペプチド、香料、酸味料、苦味料、カラメル色素、大豆多糖類、ビタミンＣ、アセスルファムＫを、それぞれ所定量添加し、ノンアルコールのビールテイスト飲料を製造した。さらに、４−ビニルグアイアコールを含有する香料を添加するとともに、一部のサンプルには、水溶性食物繊維として難消化性グルカン（フィットファイバー＃８０：日本食品化工株式会社製）を添加した。
　なお、各サンプルについて、４−ビニルグアイアコールの含有量、水溶性食物繊維の含有量は、表４に示すとおりとした。」
（１７ｆ）「【００５２】
【表２】
試験２
サンプルＮｏ．　　　　　　2-1　2-2　2-3　2-4　2-5　2-6
・・・・・・・・・・・・・・・・・・・・・・・・・・・・・・
４−ビニルグアイアコール　0　　0.5　1.0　2.0　3.0　4.0
（ｍｇ／Ｌ）
水溶性食物繊維（ｗ／ｖ％）1.5　1.5　1.5　1.5　1.5　1.5
刺激臭　　　　　　　　　　1.0　1.8　2.0　2.0　2.8　3.8
樽熱成香　　　　　　　　　1.0　2.5　4.0　5.0　4.3　3.5
・・・・・・・・・・・・・・・・・・・・・・・・・・・・・・」
２　甲号証に記載された発明
（１）甲第１号証に記載された発明
ア　甲第１号証は、オールモルトピルスナービールのホップ有り無し状況下でのプロアントシアニンフリー麦芽と通常麦芽を用いた風味と混濁安定性に関する文献であって、甲第１号証には、ホップ無しとホップ有りのオールモルト（麦芽１００％）ピルスナービールを、プロアントシアニジンフリーの麦芽（ａｎｔ　１３−１３ｘＲｕｐａｌ）と通常の麦芽（Ｇａｔｉｎａｉｓ）を用いて醸造したものが分析され（摘記（１ａ））、摘記（１ｃ）の表４には、通常の麦芽（Ｇａｔｉｎａｉｓ）を用いたホップ無しのビール１の分析結果として、総ポリフェノール１３６ｍｇ／Ｌ、アントシアノーゲン３４．６ｍｇ／Ｌ、苦味価ＥＢＣユニット　２．７、原麦汁エキス１１．０９％、総タンパク質量４．５７ｇ／Ｌであることがその他の分析項目とともに示されている。
　したがって、甲第１号証には、「通常の麦芽（Ｇａｔｉｎａｉｓ）を用いたホップ無しの、総ポリフェノール１３６ｍｇ／Ｌ、アントシアノーゲン３４．６ｍｇ／Ｌ、苦味価ＥＢＣユニット　２．７、原麦汁エキス１１．０９％、総タンパク質量４．５７ｇ／Ｌであるビール」に係る発明（以下「
甲１発明
イ　また、摘記（１ｂ）には、甲第１号証の各ビールの醸造方法の記載として、「ビール醸造−各醸造用の挽いた麦芽（９ｋｇ）を４５℃３０リットルの醸造水ですりつぶした。３０分後注入により温度は約２０分で６３℃まで上昇した。温度を６３℃で３０分間一定に保ち、その後、約１０分で７０℃まで上昇させた。４５分後使用済み穀物を甘麦汁から分離し、熱水(７０℃)を散布した。その増量と散布工程に約９０分をかけた。次に、麦汁を０．５Ｍ硫酸でｐＨ５．２に酸性化し、酸を添加する前に分析用の甘麦汁サンプルを採取した。甘麦汁の沸騰に９０分をかけた。ホップありのビールの場合には、沸騰（煮沸）工程の初めにα酸（１００ｍｇ／ｌ）を添加する。総量の約１０％が沸騰中に蒸発した。
　麦汁(約６０リットル)を約１５分で８℃に冷却した。ホップありの麦汁３００ｍｌに懸濁したサッカロミセス　カールスバーゲンシス９０ｍｇを添加し、麦汁を滅菌された酸素で酸化した。発酵容器を９℃で５日間維持した。その後、ビールを二酸化炭素圧力下ラガータンクへ移した。第２次発酵を９℃で７日間行った。」と記載され、ホップなしのビールの場合には、当然α酸を加えない無ホップの麦汁を使用することになるのであるから、摘記（１ａ）（１ｃ）も考慮すると、以下の発明も記載されているといえる。
「挽いた麦芽（９ｋｇ）を４５℃３０リットルの醸造水ですりつぶし、３０分後注入により温度は約２０分で６３℃まで上昇し、温度を６３℃で３０分間一定に保ち、その後、約１０分で７０℃まで上昇させ、４５分後使用済み穀物を甘麦汁から分離し、熱水(７０℃)を散布し、その増量と散布工程に約９０分をかけ、次に、麦汁を０．５Ｍ硫酸でｐＨ５．２に酸性化し、酸を添加する前に分析用の甘麦汁サンプルを採取し、甘麦汁の沸騰に９０分をかけ、総量の約１０％が沸騰中に蒸発し、麦汁(約６０リットル)を約１５分で８℃に冷却し、無ホップの麦汁３００ｍｌに懸濁したサッカロミセス　カールスバーゲンシス９０ｍｇを添加し、麦汁を滅菌された酸素で酸化し、発酵容器を９℃で５日間維持し、その後、ビールを二酸化炭素圧力下ラガータンクへ移し、第２次発酵を９℃で７日間行って製造する通常の麦芽（Ｇａｔｉｎａｉｓ）を用いたホップ無しの、総ポリフェノール１３６ｍｇ／Ｌ、アントシアノーゲン３４．６ｍｇ／Ｌ、苦味価ＥＢＣユニット　２．７、原麦汁エキス１１．０９％、総タンパク質量４．５７ｇ／Ｌであるビールの製造方法」に係る発明（以下「
甲１製造方法発明
（２）甲第７号証に記載された発明
ア　甲第７号証は、麦芽汁をベースとする発酵飲料およびその製造方法に関する文献（摘記（７ａ）であって、甲第７号証には、麦芽を麦汁に加工し、その麦汁が記載されたプロセスパラメータの下で麦芽糖を発酵させない、または麦芽糖を発酵させない、いわゆるマルトース非資化性酵母の少なくとも１種の酵母を用いて発酵され、結果として得られる飲料には、麦汁の香りが存在しない、モルトフレーバー飲料が得られることが記載され（摘記（７ｂ））、摘記（７ｍ）の表２、摘記（７ｎ）の表３には、それぞれ、サッカロマイコデス属のマルトース非資化性酵母を用いて、表２に示す処方に従って調製された飲料の分析結果、サッカロマイコデス属のマルトース非資化性酵母を用いて、表３に示す処方に従って調製された飲料（１％着色モルトを含む）の分析結果として、それぞれ、原麦汁が８．５９％、８．５３％、全窒素（１２％）が８６５ｍｇ／ｌ、９３３ｍｇ／ｌ、ポリフェノール類１１７ｍｇ／ｌ、１３２ｍｇ／ｌ、アントシアノゲン３０ｍｇ／ｌ、３０ｍｇ／ｌであることがその他の分析項目とともに示されている。
　したがって、甲第７号証には、以下の発明が記載されているといえる。
「サッカロマイコデス属のマルトース非資化性酵母を用いて調製された、原麦汁が８．５９％、全窒素（１２％）が８６５ｍｇ／ｌ、ポリフェノール類１１７ｍｇ／ｌ、アントシアノゲン３０ｍｇ／ｌである飲料」に係る発明（以下「
甲７Ａ発明
「サッカロマイコデス属のマルトース非資化性酵母を用いて調製された、原麦汁が８．５３％、全窒素（１２％）が９３３ｍｇ／ｌ、ポリフェノール類１３２ｍｇ／ｌ、アントシアノゲン３０ｍｇ／ｌである飲料」に係る発明（以下「
甲７Ｂ発明
イ　また、製造方法の発明として、以下の発明も記載されているといえる。
「サッカロマイコデス属のマルトース非資化性酵母を用いて調製する、原麦汁が８．５９％、全窒素（１２％）が８６５ｍｇ／ｌ、ポリフェノール類１１７ｍｇ／ｌ、アントシアノゲン３０ｍｇ／ｌである飲料の製造方法」に係る発明（以下「甲７Ａ製造方法発明」という。）
「サッカロマイコデス属のマルトース非資化性酵母を用いて調製する、原麦汁が８．５３％、全窒素（１２％）が９３３ｍｇ／ｌ、ポリフェノール類１３２ｍｇ／ｌ、アントシアノゲン３０ｍｇ／ｌである飲料の製造方法」に係る発明（以下「甲７Ｂ製造方法発明」という。）
３　対比・判断
異議申立理由１Ａに関して
（１）本件特許発明１について
ア　甲１発明との対比・判断
（ア）対比
　本件特許発明１と甲１発明とを対比すると、甲１発明の「ホップ無しの」は、本件特許明細書【００１１】の「イソα酸の含有量が０．１質量ｐｐｍ以下」の技術的意味の記載から、本件特許発明１の「イソα酸の含有量が０．１質量ｐｐｍ以下」に相当し、甲１発明の「総ポリフェノール１３６ｍｇ／Ｌ」は、本件特許発明１の「総ポリフェノール量が３０〜１８０質量ｐｐｍ」に該当する。
　また、甲１発明の「ビール」は、本件特許明細書【００１０】の「ビールテイスト飲料」の定義からみて、本件特許発明１の「ビールテイスト飲料」に該当する。
　したがって、本件特許発明１は、甲１発明と、「イソα酸の含有量が０．１質量ｐｐｍ以下、総ポリフェノール量が３０〜１８０質量ｐｐｍであるビールテイスト飲料」の点で一致し、以下の点で相違する。
相違点１−１：本件特許発明１においては、「全窒素量が４０〜２００ｍｇ／１００ｍＬ、」「および、全窒素量（ｍｇ／１００ｍＬ）／総ポリフェノール量（質量ｐｐｍ）が０．３５〜３．０である」と特定されているものの、甲１発明においては、「全窒素量」、「全窒素量（ｍｇ／１００ｍＬ）／総ポリフェノール量（質量ｐｐｍ）」がともに明らかでない点。
相違点２−１：本件特許発明１においては、「４−ビニルグアイアコールの含有量が２７０〜１８００μｇ／Ｌ」と特定されているものの、甲１発明においては、４−ビニルグアイアコールの含有の有無、その含有量がともに明らかではない点。
（イ）判断
ａ　相違点１−１について
（ａ）甲第１号証においては、甲１発明のビール１の分析結果及び他の記載においても、全窒素量は明記がない。
そして、甲第２号証の摘記（２ｂ）には、６８４頁の第５表に「“ビール蛋白”の分子量分布」と題して２点のビールの分子量分布表示とともに全窒素×６．２５の値が示されている。
　全窒素×６．２５の値が、甲第２号証で述べられているビール中の総蛋白質量を示すのかどうかは明確ではない。
　また、甲１発明の通常の麦芽（Ｇａｔｉｎａｉｓ）を用いたホップ無しビールの窒素量の計算に甲第２号証の計算式を参照してよいのかどうかも明確ではない（６．２５という係数が一定であるのかどうかも明確ではない。）
　したがって、甲１発明の総タンパク質量４．５７ｇ／Ｌから総タンパク質量＝ビール中の全窒素量×６．２５の計算式を仮定して、全窒素量７３．１ｍｇ／１００ｍＬや全窒素量（ｍｇ／１００ｍＬ）／総ポリフェノール量（質量ｐｐｍ）０．５４という計算が成り立つのかどうか明らかとはいえないし、技術常識であるともいえない。
　したがって、上記相違点１−１は、実質的相違点である。
（ｂ）また、甲第２号証摘記（２ａ）、甲第３号証摘記（３ａ）、甲第５号証摘記（５ｅ）には、全窒素量の本件特許発明１の範囲に該当するもの、甲第４号証摘記（４ｃ）甲第５号証摘記（５ｅ）には、総ポリフェノール量の本件特許発明１の範囲に該当するものが、それぞれ示されているものの、オールモルトピルスナービールのホップ有り無し状況下でのプロアントシアニンフリー麦芽と通常麦芽を用いた風味と混濁安定性に関する文献において、ホップ無しの通常麦芽を用いたオールモルト（麦芽１００％）ピルスナービールを分析した結果である甲１発明は、分析結果の発明として完結しており、全窒素量や全窒素量（ｍｇ／１００ｍＬ）／総ポリフェノール量（質量ｐｐｍ）の値に着目して、それぞれ特定の数値範囲に設定する動機付けがあるとはいえない（甲第５号証は、「総ポリフェノール量（ｍｇ／Ｌ）に対する全窒素量（ｍｇ／Ｌ）の比が０．１超３．０以下である、ビールテイスト飲料」であることを前提とするもので（摘記（５ａ）、全窒素量／総ポリフェノール量に着目しているものの、全窒素量（ｍｇ／１００ｍＬ）／総ポリフェノール量（質量ｐｐｍ）に換算して、
０．０１超０．３０以下
　したがって、甲１発明において、「全窒素量が４０〜２００ｍｇ／１００ｍＬ」とし、かつ「全窒素量（ｍｇ／１００ｍＬ）／総ポリフェノール量（質量ｐｐｍ）が０．３５〜３．０である」とすることは、当業者が容易になし得る技術的事項であるとはいえない。
ｂ　相違点２−１について、
（ａ）甲第１号証においては、甲１発明のビール１の分析結果及び他の記載にも、４−ビニルグアイアコールを含有することやその含有量が２７０〜１８００μｇ／Ｌであることの明記がない。
　甲第１３号証には、ビールテイスト飲料の香りが良好になるように０．３ｐｐｍ以上（３００μｇ／Ｌ以上）４−ビニルグアイアコールを含有させてもよいことが、甲第１４号証には、市販のピルスナービール、ストロングブロンドビールの４−ビニルグアイアコールの含有量として、０．２８ｍｇ／Ｌ、０．５３ｍｇ／Ｌ、１．４８ｍｇ／Ｌの例が本件特許発明１の数値範囲に該当しない多数の例とともに示されている。
　また、甲第１５号証には、通常使用される麦芽を含むデンプン原料の糖化麦汁のビール酵母アルコール発酵熟成液の凍結乾燥物を含むビール様飲料用風味改善剤１％添加の有無でビール様アルコール飲料を分析した結果において、４−ビニルグアイアコールの含有量が風味改善剤を添加した方で２６．５μｇ／Ｌであったことが示されている。
　さらに、甲第１６号証には、プリン体濃度が非常に低いにもかかわらず「ビールらしさ」を保持している非発酵ビール様発泡性飲料に関して、ビールらしさを付与する麦芽を原料としなくてもビールらしさを付与できる１６の香気成分の一つとして４−ビニルグアイアコールが挙げられ、その場合の含有量範囲が示されている。
　また、甲第１７号証には、飲料の香味向上に関し、４−ビニルグアイアコールの刺激的な香りを抑制するために水溶性食物繊維を含有させ、４−ビニルグアイアコールの含有量を０．２以上４．０ｍｇ／Ｌ以下とすることが示されている。
（ｂ）甲１発明は、ホップ無しの通常麦芽を用いた
オールモルト（麦芽１００％）ピルスナービール
　そして、甲第１３号証の低麦芽比率を前提としたビールに関する記載や甲第１４号証の市販のピルスナービールの記載や甲第１５号証の通常使用される麦芽を含むデンプン原料の糖化麦汁のビール酵母アルコール発酵熟成液の凍結乾燥物に関する記載や甲第１６号証の非発酵ビール様発泡性飲料に関する記載や甲第１７号証の４−ビニルグアイアコール自体の刺激的な香りを問題にしている文献の記載から甲１発明の４−ビニルグアイアコールの含有量を特定範囲に設定する根拠とはならないといえる。
（ｃ）したがって、甲１発明において、甲第１３〜１７号証記載の技術的事項を参酌しても、通常の麦芽（Ｇａｔｉｎａｉｓ）を用いたホップ無しのビールの「４−ビニルグアイアコールの含有量が２７０〜１８００μｇ／Ｌ」とすることを敢えて特定するのは、当業者が容易になし得る技術的事項であるとはいえない。
ｃ　本件特許発明１の効果について
　本件特許発明１は、前記第２の請求項１に特定したように、ビールテイスト飲料において、「イソα酸の含有量が０．１質量ｐｐｍ以下」、「全窒素量が４０〜２００ｍｇ／１００ｍＬ、総ポリフェノール量が３０〜１８０質量ｐｐｍ、」「全窒素量（ｍｇ／１００ｍＬ）／総ポリフェノール量（質量ｐｐｍ）が０．３５〜３．０」「４−ビニルグアイアコールの含有量が２７０〜１８００μｇ／Ｌである」との構成を採用することで、本件明細書【０００８】に記載される「実質的にホップを使用せず、麦芽比率を保ちながら、もったりした重い飲み口を有さず、後味のすっきりしたビールテイスト飲料が提供される」という顕著な効果を奏している。
ｄ　特許異議申立人の主張の検討
　特許異議申立人は、甲第１号証の表４のビール１の全窒素量を甲第２号証の６８４頁第５表の「“ビール蛋白”」「全窒素×６．２５」の表示のみから、「総タンパク質量＝ビール中の全窒素量×６．２５」の計算式の前提をおいて、計算し、一致点相違点を認定している。
　しかしながら、上述のとおり、換算係数や計算式の前提が不明であることから、全窒素量７３．１ｍｇ／１００ｍＬや全窒素量（ｍｇ／１００ｍＬ）／総ポリフェノール量（質量ｐｐｍ）０．５４という異議申立人の計算結果に基づく甲第１号証に記載された発明の認定、一致点、相違点の認定を採用することはできない。
　また、特許異議申立人は、甲１発明の通常の麦芽（Ｇａｔｉｎａｉｓ）を用いたホップ無しのビールも甲第１３号証のビールテイスト飲料（Ｃ液）と同じ０．８ｐｐｍの４−ビニルグアイアコールの含有量である蓋然性が高い旨主張しているが、特許異議申立人も認めている様に原料麦芽の種類や製造方法が異なるのであるから、何ら記載も示唆もない４−ビニルグアイアコールの含有量が甲第１３号証のビールテイスト飲料（Ｃ液）と同じであるとはいえない。
　さらに、特許異議申立人は、甲第１号証のビール１、甲第６号証の表４０、表４８、表５０、表５１、表３５、甲第３号証、甲第７号証実施例ｂ）ｃ）の記載をもとに、通常の麦芽を使用した、無ホップビールが本件特許発明１の構成に該当する蓋然性が高い旨主張しているが、個々の文献で示されているビールが本件特許発明１の構成の一部にたまたま該当しているからといって、個々のビールに関する情報として、本件特許発明１のビール原料組成全体や製造方法全体が記載されているわけでもないのに、個々のビールが、本件特許発明１の構成に該当する蓋然性が高いとはいえない。
　さらに、特許異議申立人は、本件特許発明１の効果について、４−ビニルグアイアコールの含有量を増大させることによりビールらしい風味の弱いビールテイスト飲料の風味を改善できることは甲第１３〜１７号証から広く知られていたこと、甲第５号証にビールテイスト飲料のコクやキレといったビールらしさを改善するために総ポリフェノール量、全窒素量を特定範囲とすることが記載されていること等を指摘して、広く知られていた技術を単に組み合わせることで得られたもので、顕著な効果でない旨主張している。
　しかしながら、上述のとおり、甲第１号証に記載されたビール１に関して、何ら本件特許発明１の効果が記載も示唆もされているわけではなく、４−ビニルグアイアコールが香り付与成分であることは理解できる記載が存在するからといって、異なるものを結びつけた上でなお、甲１発明から予測される効果であると理解することはできない。
　また、本願発明は、上述のとおり、ビールテイスト飲料において、「イソα酸の含有量が０．１質量ｐｐｍ以下」、「全窒素量が４０〜２００ｍｇ／１００ｍＬ、総ポリフェノール量が３０〜１８０質量ｐｐｍ、」「全窒素量（ｍｇ／１００ｍＬ）／総ポリフェノール量（質量ｐｐｍ）が０．３５〜３．０」「４−ビニルグアイアコールの含有量が２７０〜１８００μｇ／Ｌである」との構成を採用することで構成全体として効果を奏しており、本件特許発明１において特定された数値範囲において、効果を奏するための技術的意義が本件特許明細書の一般的記載や実施例において明らかにされているのであるから、単に広く知られていた技術を組み合わせることで得られたものということはできない。
　よって、上記特許異議申立人の主張は採用できない。
（ウ）小括
　したがって、本件特許発明１は、甲第１号証に記載された発明及び甲第２〜７，１３〜１７号証に記載された技術的事項から当業者が容易に発明をすることができたものとはいえない。
（２）本件特許発明２〜４について
　本件特許発明２〜４は、いずれも、本件特許発明１において、さらに技術的限定を加えた発明であって、少なくとも上記（１）で論じたのと同様の相違点を有する（本件特許発明２と甲１発明との対比においては、相違点１−１に対応する相違点１−２が本件特許発明２においては、「全窒素量が５７〜１７８ｍｇ／１００ｍＬ、」「および、全窒素量（ｍｇ／１００ｍＬ）／総ポリフェノール量（質量ｐｐｍ）が０．３５〜３．０である」と特定されているものの、甲１発明においては、「全窒素量」、「全窒素量（ｍｇ／１００ｍＬ）／総ポリフェノール量（質量ｐｐｍ）」がともに明らかでない点となる。）。
　したがって、上記（１）で論じたのと同様の理由により、本件特許発明２〜４は、甲第１号証に記載された発明及び甲第２〜７，１３〜１７号証に記載された技術的事項から当業者が容易に発明をすることができたものとはいえない。
（３）本件特許発明５について
ア　甲１製造方法発明との対比・判断
（ア）対比
　本件特許発明５と甲１製造方法発明を対比すると、甲１製造方法発明の「ホップ無しの」は、本件特許明細書【００１１】の「イソα酸の含有量が０．１質量ｐｐｍ以下」の技術的意味の記載から、本件特許発明５の「イソα酸の含有量が０．１質量ｐｐｍ以下」に相当し、甲１製造方法発明の「総ポリフェノール１３６ｍｇ／Ｌ」は、本件特許発明１の「総ポリフェノール量が３０〜１８０質量ｐｐｍ」に該当する。
　また、甲１製造方法発明の「ビールの製造方法」は、本件特許明細書【００１０】の「ビールテイスト飲料」の定義からみて、本件特許発明５の「ビールテイスト飲料を製造する方法」に該当する。
　そして、甲１製造方法発明の「挽いた
麦芽（９ｋｇ）を４５℃３０リットルの醸造水ですりつぶし
サッカロミセス　カールスバーゲンシス９０ｍｇを添加
を９℃で５日間維持
ビールを二酸化炭素圧力下ラガータンクへ移し、第２次発酵を９℃で７日間行って
　したがって、本件特許発明５は、甲１製造方法発明と、「イソα酸の含有量が０．１質量ｐｐｍ以下、総ポリフェノール量が３０〜１８０質量ｐｐｍであるビールテイスト飲料を製造する方法であって、水および麦芽を含む原料に、酵母を添加して、アルコール発酵を行う工程を有する、ビールテイスト飲料の製造方法」の点で一致し、上記（１）のア（ア）で認定した相違点１−１〜相違点２−１の点で相違する。
（イ）上記（１）の本件特許発明１に関してア（イ）（ウ）で判断したのと同様に、本件特許発明５は、甲第１号証に記載された発明及び甲第２〜７，１３〜１７号証に記載された技術的事項から当業者が容易に発明をすることができたものとはいえない。
（４）本件特許発明６〜９について
　本件特許発明６〜９は、本件特許発明５において、さらに技術的限定を加えた発明であって、少なくとも上記（１）で論じたのと同様の相違点を有する。
　したがって、本件特許発明７の特定事項である「麦芽比率が４０質量％以上である」ことに関して、甲第５号証にビールテイスト飲料のコクやキレといったビールらしさを改善するために総ポリフェノール量、全窒素量を特定範囲とすることが記載されていることを考慮し、本件特許発明８の特定事項である「さらに酵母が資化可能な原料からなる群から選ばれる１種以上を配合する工程を有する」ことに関して、甲第５号証、甲第１３号証の記載を考慮し、本件特許発明９の特定事項である「さらに、穀物に由来するスピリッツを添加する工程を有する」ことに関して、甲第１３号証の記載を考慮してもなお、上記（１）で論じたの同様の理由により、本件特許発明６〜９は、甲第１号証に記載された発明及び甲第２〜７，１３〜１７号証に記載された技術的事項から当業者が容易に発明をすることができたものとはいえない。
（５）特許異議申立理由１Ａの判断のまとめ
　以上のとおり、本件特許発明１〜９は、甲第１号証記載の発明及び甲第２〜７，１３〜１７号証記載の技術的事項から当業者が容易に発明をすることができたものとはいえないので、異議申立理由１Ａには、理由がない。
異議申立理由１Ｂに関して
（１）本件特許発明１について
ア　甲７Ａ発明との対比・判断
（ア）対比
　本件特許発明１と甲７Ａ発明とを対比すると、甲７Ａ発明の「全窒素（１２％）が８６５ｍｇ／ｌ（８６．５ｍｇ／１００ｍｌ）」は、本件特許発明１の「全窒素量が４０〜２００ｍｇ／１００ｍＬ」に該当し、甲７Ａ発明の「ポリフェノール類１１７ｍｇ／ｌ」は、本件特許発明１の「総ポリフェノール量が３０〜１８０質量ｐｐｍ」に該当する。
　また、甲７Ａ発明の「全窒素（１２％）」が「８６５ｍｇ／ｌ（
８６．５ｍｇ／１００ｍｌ
１１７ｍｇ／ｌ
　そして、甲７Ａ発明の「サッカロマイコデス属のマルトース非資化性酵母を用いて調製された、」「飲料」は、本件特許発明１の「ビールテイスト飲料」と、「酵母を用いて調製された飲料」の限りにおいて共通する。
　したがって、本件特許発明１は、甲７Ａ発明と、「全窒素量が４０〜２００ｍｇ／１００ｍＬ、総ポリフェノール量が３０〜１８０質量ｐｐｍ、全窒素量（ｍｇ／１００ｍＬ）／総ポリフェノール量（質量ｐｐｍ）が０．３５〜３．０である酵母を用いて調製された飲料」の点で一致し、以下の点で相違する。
相違点１−７Ａ：本件特許発明１においては、「イソα酸の含有量が０．１質量ｐｐｍ以下」である「ビールテイスト飲料」と特定されているものの、甲７Ａ発明においては、イソα酸の含有量が０．１質量ｐｐｍ以下であることも、ビールテイスト飲料であることも、ともに明らかでない点。
相違点２−７Ａ：本件特許発明１においては、「４−ビニルグアイアコールの含有量が２７０〜１８００μｇ／Ｌ」と特定されているものの、甲７Ａ発明においては、４−ビニルグアイアコールの含有の有無、その含有量がともに明らかではない点。
（イ）判断
ａ　相違点１−７Ａについて
（ａ）甲第７号証においては、甲７Ａ発明が、イソα酸の含有量が０．１質量ｐｐｍ以下であることも、ビールテイスト飲料であることも明記がない。
　そして、甲第７号証の摘記（７ｃ）及び（７ｇ）には、一応、好ましくはホップされていない麦汁ベースに基づいて製造されるとの記載があるものの、甲７Ａ発明自体が、ホップされていないのか、イソα酸の含有量が０．１質量ｐｐｍ以下であるのか不明であるとともに、様々な処方が示される甲第７号証において、１処方にすぎない甲７Ａ発明は、プロセスパラメータの下で麦芽糖を発酵させない、または麦芽糖を発酵させない、いわゆるマルトース非資化性酵母の少なくとも１種の酵母を用いて発酵されることを前提とする飲料ではあるものの、イソα酸の含有量を０．１質量ｐｐｍ以下にしなければならない動機付けもない。
（ｂ）また、甲第７号証摘記（７ｊ）にクワス様飲料の処方が１例として記載されているものの、異なる実施例として記載された甲７Ａ発明をクワス様飲料にしなければならない動機付けもない上に、甲第８〜１２号証に記載されるように、クワスがビールに似た味を有することが知られているとしても、そのような変更を加えた場合の甲７Ａ発明の飲料の全窒素量やポリフェノール類の量、それらの比の変化も不明である。
　さらにいえば、甲第７号証摘記（７ｃ）の「本発明に従った工程が、ノンアルコールビールおよび苦味を有する飲料を製造するために使用される場合、麦芽ベースの麦汁は、ホップを含んでいてもよい。」との記載や、甲第７号証摘記（７ｆ）の「本発明の好ましい実施形態では、乳酸菌の好ましい性質が知られているので、麦汁の発酵に乳酸菌を使用することができる。しかし、麦汁発酵における乳酸菌の使用には、ホップなどの微生物活性物質に対する乳酸菌の感受性について特別な配慮が必要である。したがって、本発明の好ましい実施形態では、飲料の製造にホップは使用されない。」との記載からみて、ビールテイスト飲料の場合にホップを含んだ態様が示唆される一方、乳酸菌発酵を前提とした態様においてはホップ使用に留意する旨の示唆があるといえ、甲第７号証には、ビールテイスト飲料の場合に、敢えてホップを使用しないことの示唆はないといえる。
（ｃ）したがって、甲７Ａ発明において、「イソα酸の含有量が０．１質量ｐｐｍ以下」とし、かつ「ビールテイスト飲料」と特定することは、当業者が容易になし得る技術的事項であるとはいえない。
ｂ　相違点２−７Ａについて、
（ａ）甲第７号証においては、甲７Ａ発明の実施例ｂ）の分析結果及び他の記載にも、４−ビニルグアイアコールを含有することやその含有量が２７０〜１８００μｇ／Ｌであることの明記がない。
　甲第１３号証には、ビールテイスト飲料の香りが良好になるように０．３ｐｐｍ以上（３００μｇ／Ｌ以上）４−ビニルグアイアコールを含有させてもよいことが、甲第１４号証には、市販のピルスナービール、ストロングブロンドビールの４−ビニルグアイアコールの含有量として、０．２８ｍｇ／Ｌ、０．５３ｍｇ／Ｌ、１．４８ｍｇ／Ｌの例が本件特許発明１の数値範囲に該当しない多数の例とともに示されている。
　また、甲第１５号証には、通常使用される麦芽を含むデンプン原料の糖化麦汁のビール酵母アルコール発酵熟成液の凍結乾燥物を含むビール様飲料用風味改善剤１％添加の有無でビール様アルコール飲料を分析した結果において、４−ビニルグアイアコールの含有量が風味改善剤を添加した方で２６．５μｇ／Ｌであったことが示されている。
　さらに、甲第１６号証には、プリン体濃度が非常に低いにもかかわらず「ビールらしさ」を保持している非発酵ビール様発泡性飲料に関して、ビールらしさを付与する麦芽を原料としなくてもビールらしさを付与できる１６の香気成分の一つとして４−ビニルグアイアコールが挙げられ、その場合の含有量範囲が示されている。
　また、甲第１７号証には、飲料の香味向上に関し、４−ビニルグアイアコールの刺激的な香りを抑制するために水溶性食物繊維を含有させ、４−ビニルグアイアコールの含有量を０．２以上４．０ｍｇ／Ｌ以下とすることが示されている。
（ｂ）甲７Ａ発明は、プロセスパラメータの下で麦芽糖を発酵させない、または麦芽糖を発酵させない、いわゆるマルトース非資化性酵母の少なくとも１種の酵母を用いて発酵される麦芽汁をベースとする発酵飲料の一処方を分析した結果に基づくものであって、分析結果の発明として完結しており、甲第１３〜１７号証から４−ビニルグアイアコールが香り付与成分であることは理解でき、たまたま本件特許発明１の４−ビニルグアイアコールの含有量範囲に該当する例が存在するからといって、何ら示唆のない４−ビニルグアイアコールに着目して、その含有量を特定の数値範囲に設定する動機付けがあるとはいえない。
　そして、甲第１３号証の低麦芽比率を前提としたビールに関する記載や甲第１４号証の市販のピルスナービールの記載や甲第１５号証の通常使用される麦芽を含むデンプン原料の糖化麦汁のビール酵母アルコール発酵熟成液の凍結乾燥物に関する記載や甲第１６号証の非発酵ビール様発泡性飲料に関する記載や甲第１７号証の４−ビニルグアイアコール自体の刺激的な香りを問題にしている文献の記載から甲７Ａ発明の４−ビニルグアイアコールの含有量を特定範囲に設定する根拠とはならないといえる。
（ｃ）したがって、甲７Ａ発明において、甲第１３〜１７号証記載の技術的事項を参酌しても、通常の麦芽（Ｇａｔｉｎａｉｓ）を用いたホップ無しのビールの「４−ビニルグアイアコールの含有量が２７０〜１８００μｇ／Ｌ」とすることを敢えて特定するのは、当業者が容易になし得る技術的事項であるとはいえない。
ｃ　本件特許発明１の効果について
　本件特許発明１は、前記第２の請求項１に特定したように、ビールテイスト飲料において、「イソα酸の含有量が０．１質量ｐｐｍ以下」、「全窒素量が４０〜２００ｍｇ／１００ｍＬ、総ポリフェノール量が３０〜１８０質量ｐｐｍ、」「全窒素量（ｍｇ／１００ｍＬ）／総ポリフェノール量（質量ｐｐｍ）が０．３５〜３．０」「４−ビニルグアイアコールの含有量が２７０〜１８００μｇ／Ｌである」との構成を採用することで、本件明細書【０００８】に記載される「実質的にホップを使用せず、麦芽比率を保ちながら、もったりした重い飲み口を有さず、後味のすっきりしたビールテイスト飲料が提供される」という顕著な効果を奏している。
ｄ　特許異議申立人の主張の検討
　特許異議申立人は、本件特許明細書の【００１０】のビールテイスト飲料の説明におけるビール様の風味をもつものである点が、甲第７号証に記載された甲７Ａ発明において明らかでないにもかかわらず、甲第７号証に示されたクワス様飲料の態様の記載や甲第８〜１２号証のクワスに関する記載を指摘することで、甲７Ａ発明が、ホップを含まない本件特許発明１の「ビールテイスト飲料」に相当する旨主張しているが、甲第８〜１２号証のクワス飲料に関する記載でもかならずホップを加えていないわけでもなく、上述のとおり、甲第７号証には、クワス様飲料の処方が一例として記載されているものの、異なる実施例として記載された甲７Ａ発明がクワス様飲料であるということもできないし、クワス様飲料にしなければならない動機付けもないので、異議申立人の上記主張を採用することはできない。
　また、特許異議申立人は、甲７Ａ発明がホップを使用しないことによってビールらしい風味が弱くなっていることを前提として、４−ビニルグアイアコールの含有量を調整することは、甲第１３〜１７号証から当業者が容易に想到し得る旨主張している。
　しかしながら、上述のとおり、甲第７号証に記載された甲７Ａ発明は、プロセスパラメータの下で麦芽糖を発酵させない、または麦芽糖を発酵させない、いわゆるマルトース非資化性酵母の少なくとも１種の酵母を用いて発酵されることを前提とする飲料ではあり、一つの処方として確立したものであって、ホップが含有されていないかどうかは不明であるし、ビールらしい風味が弱くなっていることが課題となっているわけでもない。
　したがって、４−ビニルグアイアコールが香り付与成分であることは理解できる記載が異なる文献に存在するからといって、甲７Ａ発明において、４−ビニルグアイアコールを含有させ、その含有量を調整する動機付けはない。
　よって、上記特許異議申立人の主張は採用できない。
（ウ）小括
　したがって、本件特許発明１は、甲第７Ａ発明及び甲第３〜６，８〜１２，１３〜１７号証に記載された技術的事項から当業者が容易に発明をすることができたものとはいえない。
イ　甲７Ｂ発明との対比・判断
　上記ア（ア）で検討したのと同様に、本件特許発明１と甲７Ｂ発明と、
「全窒素量が４０〜２００ｍｇ／１００ｍＬ、総ポリフェノール量が３０〜１８０質量ｐｐｍ、全窒素量（ｍｇ／１００ｍＬ）／総ポリフェノール量（質量ｐｐｍ）が０．３５〜３．０である酵母を用いて調製された飲料」の点で一致し、以下の点で相違する。
相違点１−７Ｂ：本件特許発明１においては、「イソα酸の含有量が０．１質量ｐｐｍ以下」である「ビールテイスト飲料」と特定されているものの、甲７Ａ発明においては、イソα酸の含有量が０．１質量ｐｐｍ以下であることも、ビールテイスト飲料であることも、ともに明らかでない点。
相違点２−７Ｂ：本件特許発明１においては、「４−ビニルグアイアコールの含有量が２７０〜１８００μｇ／Ｌ」と特定されているものの、甲７Ａ発明においては、４−ビニルグアイアコールの含有の有無、その含有量がともに明らかではない点。
　そして、上記ア（イ）で検討したのと同様に、本件特許発明１は、甲７Ｂ発明及び甲第３〜６，８〜１２，１３〜１７号証に記載された技術的事項から当業者が容易に発明をすることができたものとはいえない。
ウ　小括
　したがって、本件特許発明１は、甲第７号証に記載された発明及び甲第３〜６，８〜１２，１３〜１７号証に記載された技術的事項から当業者が容易に発明をすることができたものとはいえない。
（２）本件特許発明２〜４について
　本件特許発明２〜４は、いずれも、本件特許発明１において、さらに技術的限定を加えた発明であって、少なくとも上記（１）で論じたのと同様の相違点を有する。
　したがって、上記（１）で論じたのと同様の理由により、本件特許発明２〜４は、甲第７号証に記載された発明及び甲第３〜６，８〜１２，１３〜１７号証に記載された技術的事項から当業者が容易に発明をすることができたものとはいえない。
（３）本件特許発明５について
ア　甲７Ａ製造方法発明との対比・判断
（ア）対比
　本件特許発明５と甲７Ａ製造方法発明を対比すると、甲７Ａ製造方法発明の「全窒素（１２％）が９３３ｍｇ／ｌ（９３．３ｍｇ／１００ｍｌ）」は、本件特許発明５の「全窒素量が４０〜２００ｍｇ／１００ｍＬ」に該当し、甲７Ａ製造方法発明の「ポリフェノール類１３７ｍｇ／ｌ」は、本件特許発明１の「総ポリフェノール量が３０〜１８０質量ｐｐｍ」に該当する。
　また、甲７Ａ製造方法発明の「全窒素（１２％）」が「９３３ｍｇ／ｌ（９３．３ｍｇ／１００ｍｌ）」で「ポリフェノール類１３７ｍｇ／ｌ」であれば、本件特許発明５の「全窒素量（ｍｇ／１００ｍＬ）／総ポリフェノール量（質量ｐｐｍ）が０．３５〜３．０である」ことに該当するといえる。
　そして、甲７Ａ製造方法発明の「サッカロマイコデス属のマルトース非資化性酵母を用いて調製される、」「飲料の製造方法」は、本件特許発明５の「酵母を添加」する「ビールテイスト飲料の製造方法」と、「酵母を用いて調製される飲料を製造する方法」の限りにおいて共通する。
　したがって、本件特許発明５は、甲７Ａ製造方法発明と、「全窒素量が４０〜２００ｍｇ／１００ｍＬ、総ポリフェノール量が３０〜１８０質量ｐｐｍ、全窒素量（ｍｇ／１００ｍＬ）／総ポリフェノール量（質量ｐｐｍ）が０．３５〜３．０である酵母を用いて調製される飲料を製造する方法」の点で一致し、以下の点で相違する。
相違点１−７Ａ’：本件特許発明５においては、「イソα酸の含有量が０．１質量ｐｐｍ以下」である「ビールテイスト飲料を製造する方法」と特定されているものの、甲７Ａ製造方法発明においては、イソα酸の含有量が０．１質量ｐｐｍ以下であることも、ビールテイスト飲料を製造する方法であることも、ともに明らかでない点。
相違点２−７Ａ’：本件特許発明５においては、「４−ビニルグアイアコールの含有量が２７０〜１８００μｇ／Ｌ」と特定されているものの、甲７Ａ製造方法発明においては、４−ビニルグアイアコールの含有の有無、その含有量がともに明らかではない点。
相違点３−７Ａ’：本件特許発明５は、「水および麦芽を含む原料に、酵母を添加して、アルコール発酵を行う工程を有する」ことが特定されているものの、甲７Ａ製造方法発明においては、サッカロマイコデス属のマルトース非資化性酵母を用いて調製するものの、水および麦芽を含む原料に、酵母を添加して、アルコール発酵を行う工程を有するかどうか明らかでない点。
（イ）判断
　上記（１）の本件特許発明１に関して、ア（イ）（ウ）で判断したのと同様に、上記相違点３−７Ａ’について検討するまでもなく、本件特許発明５は、甲７Ａ製造方法発明及び甲第３〜６，８〜１２，１３〜１７号証に記載された技術的事項から当業者が容易に発明をすることができたものとはいえない。
イ　そして、上記（１）の本件特許発明１に関してイで検討したのと同様に、本件特許発明５は、甲７Ｂ製造方法発明及び甲第３〜６，８〜１２，１３〜１７号証に記載された技術的事項から当業者が容易に発明をすることができたものとはいえない。
（４）本件特許発明６〜９について
　本件特許発明６〜９は、本件特許発明５において、さらに技術的限定を加えた発明であって、少なくとも上記（３）で論じたのと同様の相違点を有する。
　したがって、本件特許発明７の特定事項である「麦芽比率が４０質量％以上である」ことに関して、甲第５号証にビールテイスト飲料のコクやキレといったビールらしさを改善するために総ポリフェノール量、全窒素量を特定範囲とすることが記載されていることを考慮し、本件特許発明８の特定事項である「さらに酵母が資化可能な原料からなる群から選ばれる１種以上を配合する工程を有する」ことに関して、甲第５号証、甲第１３号証の記載を考慮し、本件特許発明９の特定事項である「さらに、穀物に由来するスピリッツを添加する工程を有する」ことに関して、甲第１３号証の記載を考慮してもなお、上記（３）で論じたの同様の理由により、本件特許発明６〜９は、甲第７号証に記載された発明（甲７Ａ製造方法発明または甲７Ｂ製造方法発明）及び甲第３〜６，８〜１２，１３〜１７号証に記載された技術的事項から当業者が容易に発明をすることができたものとはいえない。
４　特許異議申立理由１の判断のまとめ
　以上のとおり、本件特許発明１〜９は、甲第１号証記載の発明または甲第７号証記載の発明及び甲第２号証〜甲第１７号証記載の技術的事項から当業者が容易に発明をすることができたものとはいえないので、異議申立理由１には、理由がない。
異議申立理由２（サポート要件）について
　特許異議申立人は、第３　２に記載のようにサポート要件について理由を述べている。
１　異議申立理由２の概要
　請求項１〜９に係る発明について、請求項１に特定されている「全窒素量（ｍｇ／１００ｍＬ）／総ポリフェノール量（質量ｐｐｍ）が０．３５〜３．０である」のうち、実施例により裏付けられている１．０８８〜１．０８９のビールテイスト飲料及びその製造方法以外の特許請求の範囲に含まれる場合や、原麦汁エキス（Ｏ−Ｅｘ）濃度が１０〜１３質量％のビールテイスト飲料及びその製造方法以外の特許請求の範囲に含まれる場合については、【０００５】の本件特許発明の課題を解決できると当業者が認識できるといえず、さらに、本件明細書の実施例の製造方法が一般的なものであるのに全窒素量が高濃度であり、当業者が製造、追試、効果の理解ができないから、本件特許は、特許請求の範囲の記載が不備である。
２　判断
（１）本願発明に関する特許法第３６条第６項第１号の判断の前提
　特許請求の範囲の記載が明細書のサポート要件に適合するか否かは、特許請求の範囲の記載と発明の詳細な説明の記載とを対比し、特許請求の範囲に記載された発明が、発明の詳細な説明に記載された発明で、発明の詳細な説明の記載又はその示唆により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものである。
（２）本件特許発明の課題
　本件特許発明の課題は、【０００２】【０００３】の【背景技術】の記載、【０００５】の【発明が解決しようとする課題】の記載及び明細書全体の記載からみて、麦芽比率を一定以上に保ち、ホップも使用しないことを前提に、旨味や味わいが豊かで、もったりした重い飲み口を与えず、後味のすっきりしたビールテイスト飲料及び該ビールテイスト飲料を製造する方法を提供することにあるといえる。
（３） 発明の詳細な説明の記載
　本件特許明細書には、【０００７】の【課題を解決するための手段】、【０００９】の【発明を実施するための形態】に記載された本件特許発明１の構成によって、【０００８】の【発明の効果】として、実質的にホップを使用せず、麦芽比率を保ちながら、もったりした重い飲み口を有さず、後味のすっきりしたビールテイスト飲料が提供されることが記載され、「【００１２】
　麦芽の風味を抑えるために、原料の麦芽比率を抑えることなどによって、全窒素量および総ポリフェノール量を一定の範囲内に制御したビールテイスト飲料を提供できるが、このようなビールテイスト飲料は、苦味が目立ちやすくなる。本発明のビールテイスト飲料は、ホップに多く含まれるイソα酸の含有量が０．１質量ｐｐｍ以下に制限し、かつ、一定量の４ＶＧを含有するため、風味の優れたビールテイスト飲料となる。」との記載、「【００１３】
　本発明のビールテイスト飲料の全窒素量は４０〜２００ｍｇ／１００ｍＬである。本発明における「全窒素量」とは、タンパク質、アミノ酸等の全ての窒素化合物の総量である。
　全窒素量は飲み応え、味の厚み、味わい等に影響する。全窒素量を４０ｍｇ／１００ｍＬ以上とすることによって飲み応え、味の厚み、味わいを向上させることができる。これらをさらに向上させる観点から全窒素量は４５ｍｇ／１００ｍＬ以上が好ましく、５０ｍｇ／１００ｍＬ以上がより好ましく、５５ｍｇ／１００ｍＬ以上がさらに好ましく、５７ｍｇ／１００ｍＬ以上がさらに好ましく、６５ｍｇ／１００ｍＬ以上がさらに好ましく、７０ｍｇ／１００ｍＬ以上が特に好ましい。
　他方、全窒素量が多いと、飲み口も重くなってしまう。そこで、本発明の飲料の全窒素量は２００ｍｇ／１００ｍＬ以下とすることによって、飲み口が軽くなる。これらを更に向上させる観点から、全窒素量は１９０ｍｇ／１００ｍＬ以下が好ましく、１８０ｍｇ／１００ｍＬ以下がより好ましく、１７８ｍｇ／１００ｍＬ以下がより好ましく、１７０ｍｇ／１００ｍＬ以下がさらに好ましく、１６０ｍｇ／１００ｍＬ以下がさらに好ましく、１５０ｍｇ／１００ｍＬ以下が特に好ましい。
　本発明のビールテイスト飲料の全窒素量は、比較的窒素含有量が多く、酵母が資化可能な原材料の使用量を調整することによって制御できる。具体的には、窒素含有量の多い麦芽等の使用量を増やすことにより全窒素量を増加させることができる。窒素含有量の多い原料としては、例えば、麦芽、大豆、酵母エキス、エンドウ、未発芽の穀物などが挙げられる。また未発芽の穀物としては、例えば、未発芽の大麦、小麦、ライ麦、カラス麦、オート麦、ハト麦、エン麦、大豆、エンドウ等が挙げられる。・・・」との記載、「【００１４】
　本発明のビールテイスト飲料の総ポリフェノール量は３０〜１８０質量ｐｐｍである。
　ポリフェノールとは、芳香族炭化水素の２個以上の水素がヒドロキシル基で置換された化合物をいう。ポリフェノールとしては、例えば、フラボノール、イソフラボン、タンニン、カテキン、ケルセチン、アントシアニンなどが挙げられる。
　本発明における「総ポリフェノール量」とは、ビールテイスト飲料に含まれるこれらポリフェノールの総量である。
【００１５】
　総ポリフェノール量は飲み応え、味の厚み、味わい等に影響する。総ポリフェノール量を３質量ｐｐｍ以上とすることによって飲み応え、味の厚み、味わいを向上させることができる。これらをさらに向上させる観点から総ポリフェノール量は４０質量ｐｐｍ以上が好ましく、５０質量ｐｐｍ以上がより好ましく、５７質量ｐｐｍ以上がさらに好ましく、６０質量ｐｐｍ以上がさらに好ましく、６５質量ｐｐｍ以上がさらに好ましく、７０質量ｐｐｍ以上が特に好ましい。
　他方、総ポリフェノールが多い飲料は、混濁安定性が低下し、また飲み口も重くなってしまう。そこで、本発明の飲料は総ポリフェノール量を１８０質量ｐｐｍ以下とすることによって、飲料の混濁安定性および飲み口を改良できる。これらを更に向上させる観点から、総ポリフェノール量は１７０質量ｐｐｍ以下が好ましく、１６３質量ｐｐｍ以下がより好ましく、１５５質量ｐｐｍ以下がより好ましく、１５０質量ｐｐｍ以下がさらに好ましく、１４０質量ｐｐｍ以下がさらに好ましく、１３０質量ｐｐｍ以下が特に好ましい。
　本発明のビールテイスト飲料の総ポリフェノール量は、例えば、大麦麦芽、麦芽のハスク（穀皮）などのポリフェノール含有量の多い原材料の使用量を調整することによって制御できる。具体的には、ポリフェノール含有量の多い麦芽等の原材料の使用量を増やすことにより総ポリフェノール量を増加させることができる。」との記載、「【００１６】
　一般的に、ハスク（穀皮）がある麦芽等は窒素およびポリフェノールの含有量が多く、大豆、酵母エキス、小麦、小麦麦芽等は窒素の含有量が多いがポリフェノールの含有量が少ない。そこで、ビールテイスト飲料における全窒素量および総ポリフェノール量は、原料の配合割合を調整することによって、増減させることができる。以下、全窒素量および総ポリフェノール量を増減させる代表的な方法（１）〜（４）を挙げる。
（１）ハスクがある麦芽等の使用量を増やすことによって、ビールテイスト飲料の全窒素量および総ポリフェノール量を増やす。
（２）大豆、酵母エキス等の使用量を増減させることによって、総ポリフェノール量を維持しながら、ビールテイスト飲料の全窒素量を増減させる。
（３）ハスクがある麦芽等の使用量を増やし大豆、酵母エキス等の使用量を減らすことによって、全窒素量を維持しながら、総ポリフェノール量を増やす。
（４）ハスクがある麦芽等の使用量を減らし大豆、酵母エキス等の使用量を増やすことによって、全窒素量を維持しながら、総ポリフェノール量を減らす。」との記載、「【００１８】
　本発明のビールテイスト飲料において、全窒素量が総ポリフェノール量に対して大きすぎると飲み口が重くなり、小さすぎると水っぽくなってしまう。そこで、本発明のビールテイスト飲料における全窒素量と総ポリフェノール量との割合である全窒素量（ｍｇ／１００ｍＬ）／総ポリフェノール量（質量ｐｐｍ）が０．２〜３．０であることが好ましく、０．２５〜２．８であることがより好ましく、０．３〜２．７であることがさらに好ましく、０．３５〜２．６であることがさらに好ましく、０．４〜２．５であることがさらに好ましく、０．５〜２．４であることが特に好ましい。」との記載、「【００１９】
　本発明のビールテイスト飲料の４ＶＧの含有量は２７０〜１８００μｇ／Ｌである。４ＶＧは、焼酎、泡盛あるいはビール製造時に微量に生成されることが知られており、これら酒類の香気の醸成に関与している。酒類原料由来のフェルラ酸に、麹菌などの微生物が産生するフェルラ酸脱炭酸酵素が作用し、４ＶＧが生成されるとされている。本発明のビールテイスト飲料の４ＶＧの含有量は２７０〜１８００μｇ／Ｌであり、２８０〜１５００μｇ／Ｌが好ましく、２９０〜１３００μｇ／Ｌがさらに好ましく、３１０〜１２００μｇ／Ｌがさらに好ましく、３５０〜１１００μｇ／Ｌがさらに好ましく、４００〜１０５０μｇ／Ｌが特に好ましい。
　４ＶＧはビールテイスト飲料の後味に余韻のある味わいを付与し、また、飲みやすさ、ビールらしい後味のシマリ感等を付与することができる。特に、イソα酸の含有量が０．１質量ｐｐｍ以下のビールテイスト飲料はホップ由来の特有な苦味を感じにくいため、４ＶＧを一定量含有するとビールらしい後味のシマリ感を効果的に付与できる。そこで、本発明のビールテイスト飲料の４ＶＧの含有量は３０５μｇ／Ｌ以上が好ましく、３２０μｇ／Ｌ以上がさらに好ましく、３３０μｇ／Ｌ以上が特に好ましい。
　他方、生薬様のビールテイスト飲料に適さない風味を抑えるために、本発明の飲料の４ＶＧの含有量は１０２０μｇ／Ｌ以下が好ましく、９５０μｇ／Ｌ以下がさらに好ましく、９００μｇ／Ｌ以下がさらに好ましく、８５０μｇ／Ｌ以下がさらに好ましく、８００μｇ／Ｌ以下がさらに好ましく、７５０μｇ／Ｌ以下が特に好ましい。
　本発明のビールテイスト飲料の４ＶＧの含有量は、例えば、４ＶＧや、４ＶＧ含有量の多い原材料の使用量を調整することによって制御できる。」との記載があり、各パラメータの上下限の技術的意義の一般的記載や含有量の調整方法が示されているといえる。
　さらに、ビールテイスト飲料の飲みやすさとビールらしい麦の味わいに関し、試験例１〜４の比較によって、麦芽比率が２０質量％まで低くなると、ビールらしい麦の味わいがなくなってしまうが、麦芽比率が１００質量％、４５質量％の試験例１と２の飲料は飲みやすさとビールらしい麦の味わいの両者を備えた飲料で、イソα酸を実質的に含有しないビールテイスト飲料において、全窒素量、総ポリフェノール量が所定の範囲内に制御すると、苦味がない飲みやすさとビールらしい麦の味わいを両立できることがわかったこと、及び試験例１〜４のビールテイスト飲料は麦芽の風味が際立ち、もったりした重い飲み口となり、ビールテイスト飲料らしい後味のすっきり感が不足していたことが示され（【００５６】〜【００６２】）、ビールテイスト飲料の官能評価に関し、実施例１〜９と比較例１〜６との比較によって、麦芽比率１００％、７０％、４５％の場合いずれの場合においても、ホップを使用しない（イソα酸０．１ｐｐｍ）前提で、４ＶＧ（４−ビニルグアイアコール）が３００、５００、１０００μｇ／Ｌの場合において、ビールテイスト飲料らしい後味のシマリ感があり、ビールテイスト飲料として不適な生薬様の香りが抑制でき、本件特許発明の課題の改善が確認できたことが示されている（【００６３】〜【００７７】）。
（４）判断
　上記（３）のとおり、本件特許発明１の各構成であるパラメータに対応して、本件特許明細書には、各パラメータの上下限の技術的意義の一般的記載が存在し、各パラメータ間の技術的意議の相関記載に技術的矛盾はなく、各成分の増減手法や製造方法の記載が存在し、異なる麦芽比率に基づく、異なる全窒素量や総ポリフェノール量の範囲での本件特許発明の効果を奏した具体的検証結果の記載も存在するのであるから、本件特許発明１の構成によって、当業者であれば上記本件特許発明１の課題を解決できることを認識できるといえる。
　また、本件特許発明２〜９に関しても、【００２５】の原麦汁エキス（Ｏ−Ｅｘ）濃度の技術的意議に関する記載、【００２８】〜【００３２】の原材料に関する記載、【００４４】〜【００５３】のビールテイスト飲料の製造方法に関する記載、【００２２】の穀物に由来するスピリッツに関する記載ついても併せて考慮すれば、本件特許発明１と同様に、本件特許発明２〜９の構成によって、当業者であれば上記本件特許発明の課題を解決できることを認識できるといえる。
　特許異議申立人は、「全窒素量（ｍｇ／１００ｍＬ）／総ポリフェノール量（質量ｐｐｍ）が０．３５〜３．０である」のうち、実施例により裏付けられている１．０８８〜１．０８９のビールテイスト飲料及びその製造方法以外の特許請求の範囲に含まれる場合や、原麦汁エキス（Ｏ−Ｅｘ）濃度が１０〜１３質量％のビールテイスト飲料及びその製造方法以外の特許請求の範囲に含まれる場合については、本件特許発明の課題を解決できると当業者が認識できないし、本件明細書の実施例の製造方法が一般的なものであるのに全窒素量が高濃度であり、当業者が製造、追試、効果の理解ができないので、発明の詳細な説明に記載された発明といえない旨の主張をしている。
　しかしながら、上述したような、各パラメータの上下限の技術的意義の一般的記載、各パラメータ間の技術的意議の相関記載や異なる麦芽比率に基づく、異なる全窒素量や総ポリフェノール量の範囲での具体的検証結果の記載を参考にした上で、さらに、全窒素量と総ポリフェノール量の比に関しては、一方のみを増減させる手法が具体的に記載されていること、全窒素量と総ポリフェノール量が飲み応え、味の厚み、味わい、飲み口の重み等に影響する同様の作用をすることが記載されていること、上記比自体の数値範囲の上下限の技術的意義の記載があることも考慮すると、実施例で示された範囲以外の上記比の範囲においても、本件特許発明の課題を解決できると当業者が認識できるといえる。
　また、原麦汁エキス（Ｏ−Ｅｘ）濃度に関する実施例で示された範囲以外の範囲についても、上述の技術的意議に関する記載等を考慮することで、本件特許発明の課題を解決できると当業者が認識できるといえる。
　さらに、本件明細書の実施例の製造方法については、全窒素量を高濃度にするための原材料の選択方法等の記載があり、本願出願時の技術常識も考慮すれば当業者が製造できないとする理由はないといえる。
　したがって、特許異議申立人の上記主張を採用することはできない。
３　異議申立理由２の判断のまとめ
　以上のとおり、本願の特許請求の範囲の記載について、請求項１〜９に係る発明は、発明の詳細な説明の記載に記載されているといえるので、異議申立理由２には、理由がない。
異議申立理由３（実施可能要件）について
　特許異議申立人は、前記第３　３に記載のように実施可能要件について理由を述べている。
１　異議申立理由３の概要
　請求項１〜９に係る発明について、本件特許発明の効果を奏することが確認されているのは全窒素量（ｍｇ／１００ｍＬ）／総ポリフェノール量（質量ｐｐｍ）が０．３５〜３．０が１．０８８〜１．０８９のビールテイスト飲料及びその製造方法のみであり、また、原麦汁エキス（Ｏ−Ｅｘ）濃度が１０〜１３質量％のビールテイスト飲料及びその製造方法のみであるが、本件特許発明１〜９は、この範囲外であるビールテイスト飲料及びその製造方法を含むから、さらに、本件明細書の実施例の製造方法が一般的なものであるのに全窒素量が高濃度であり、当業者が製造、追試、効果の理解ができないから、本件明細書には、本件特許発明１〜９の全範囲において当業者が実施できるように記載されているとはいえず、発明の詳細な説明の記載が不備である。
２　判断
　異議申立理由２で述べたのと同様に、前記２（３）のとおり、本件特許発明１の各構成であるパラメータに対応して、本件特許明細書には、各パラメータの上下限の技術的意義の一般的記載が存在し、各パラメータ間の技術的意議の相関記載に技術的矛盾はなく、各成分の増減手法や製造方法の記載がステップ毎に存在し、異なる麦芽比率に基づく、異なる全窒素量や総ポリフェノール量の範囲での本件特許発明の効果を奏した具体的検証結果の記載（具体的製造方法の記載もある）も存在するのであるから、本件特許発明１の構成に対応した範囲で、当業者であれば過度な試行錯誤なく実施できるように記載されているといえる。
　また、本件特許発明２〜９の構成に対応した場合に関しても、【００２５】の原麦汁エキス（Ｏ−Ｅｘ）濃度の技術的意議に関する記載、【００２８】〜【００３２】の原材料に関する記載、【００４４】〜【００５３】のビールテイスト飲料の製造方法に関する各ステップ毎の記載、【００２２】の穀物に由来するスピリッツに関する記載ついても併せて考慮すれば、本件特許発明１に関する場合と同様に、本件特許発明２〜９の構成に対応した場合においても、当業者であれば過度な試行錯誤なく実施できるように記載されているといえる。
　特許異議申立人は、特許異議申立理由３においても、上記１のとおり「全窒素量（ｍｇ／１００ｍＬ）／総ポリフェノール量（質量ｐｐｍ）が０．３５〜３．０である」のうち、実施例により裏付けられている１．０８８〜１．０８９のビールテイスト飲料及びその製造方法以外の特許請求の範囲に含まれる場合や、原麦汁エキス（Ｏ−Ｅｘ）濃度が１０〜１３質量％のビールテイスト飲料及びその製造方法以外の特許請求の範囲に含まれる場合については、本件特許発明を当業者が実施できず、全範囲において実施できるように記載されているとはいえないし、本件明細書の実施例の製造方法が一般的なものであるのに全窒素量が高濃度であり、当業者が製造、追試、効果の理解ができない旨主張をしている。
　しかしながら、上述したような、各パラメータの上下限の技術的意義の一般的記載、各パラメータ間の技術的意議の相関記載、各ステップ毎の製造方法の記載や異なる麦芽比率に基づく、異なる全窒素量や総ポリフェノール量の範囲での製造方法を伴った具体的検証結果の記載を参考にした上で、さらに、全窒素量と総ポリフェノール量の比に関しては、一方のみを増減させる手法が具体的に記載されていること、全窒素量と総ポリフェノール量が飲み応え、味の厚み、味わい、飲み口の重み等に影響する同様の作用をすることが記載されていること、上記比自体の数値範囲の上下限の技術的意義の記載があることも考慮すると、実施例で示された範囲以外の上記比の全範囲においても、当業者が過度な試行錯誤なく実施できるように記載されているといえる。
　また、原麦汁エキス（Ｏ−Ｅｘ）濃度に関する実施例で示された範囲以外の範囲についても、上述の技術的意議に関する記載等を考慮することで、当業者が過度な試行錯誤なく実施できるように記載されているといえる。
　さらに、本件明細書の実施例の製造方法については、全窒素量を高濃度にするための原材料の選択方法等の記載があり、本願出願時の技術常識も考慮すれば当業者が製造できないとする理由はないといえる。
　したがって、特許異議申立人の上記主張を採用することはできない。
３　異議申立理由３の判断のまとめ
　以上のとおり、本願の発明の詳細な説明の記載が、請求項１〜９に係る発明を当業者が実施できる程度に明確かつ十分に記載されたものといえるので、異議申立理由３には、理由がない。
第５　むすび
　したがって、請求項１〜９に係る特許は、特許異議申立書に記載された特許異議申立理由によっては、取り消すことができない。
　また、他に請求項１〜９に係る特許を取り消すべき理由を発見しない。
　よって、結論のとおり決定する。
【異議決定日】
令和３年３月２６日（２０２１．３．２６）